(57)【要約】【課題】  容易に精度よく自覚式検査を行うことができる自覚式検眼装置を提供する。【解決手段】  視標光束を被検眼に向けて投影する投光光学系の光路中に配置され、視標光束の光学特性を変化する矯正光学系と、を有し、被検眼の光学特性を自覚的に測定する自覚式測定手段を備え、被検眼の光学特性を自覚的に測定する自覚式検眼装置であって、被検眼の眼底に測定光を出射し、その反射光を受光する測定光学系を有し、被検眼の光学特性を他覚的に測定する他覚式測定手段と、自覚式測定手段によって被検眼の光学特性を自覚的に測定している間に、他覚式測定手段によって被検眼の光学特性を他覚的に測定する制御手段と、被検眼及び被検眼に入射する視標光束の結像位置が少なくとも描写される眼図を表示する表示制御手段であって、他覚式測定手段によって他覚的に測定された光学特性に基づいて、結像位置を表示する表示制御手段と、を備える。【選択図】      図１
2019063265.tif 000002
【特許請求の範囲】
【請求項１】
視標光束を被検眼に向けて投影する投光光学系の光路中に配置され、前記視標光束の光学特性を変化する矯正光学系と、を有し、前記被検眼の光学特性を自覚的に測定する自覚式測定手段を備え、被検眼の光学特性を自覚的に測定する自覚式検眼装置であって、
被検眼の眼底に測定光を出射し、その反射光を受光する測定光学系を有し、前記被検眼の光学特性を他覚的に測定する他覚式測定手段と、
前記自覚式測定手段によって前記被検眼の光学特性を自覚的に測定している間に、前記他覚式測定手段によって前記被検眼の光学特性を他覚的に測定する制御手段と、
前記被検眼及び前記被検眼に入射する前記視標光束の結像位置が少なくとも描写される眼図を表示する表示制御手段であって、前記他覚式測定手段によって他覚的に測定された光学特性に基づいて、前記結像位置を表示する表示制御手段と、
を備えることを特徴とする自覚式検眼装置。
【請求項２】
請求項１の自覚式検眼装置において、
前記制御手段は、前記自覚式測定手段によって前記被検眼の光学特性を自覚的に測定している間に、前記他覚測定手段によって前記被検眼の光学特性を他覚的に複数回測定し、
前記表示制御手段は、前記他覚式測定手段による複数回の測定によって、新たに光学特性が測定されるのに応じて、新たな光学特性に基づいて前記結像位置を変更して表示することを特徴とする自覚式検眼装置。
【請求項３】
請求項１又は２の自覚式検眼装置において、
前記眼図は、前記矯正光学系の描写を含み、
前記表示制御手段は、前記矯正光学系が変更されるに応じて、前記矯正光学系の描写を変更された前記矯正光学系の描写に変更して表示することを特徴とする自覚式検眼装置。
【請求項４】
請求項３の自覚式検眼装置において、
前記眼図は、前記矯正光学系による前記視標光束の光線追跡の描写を含み、
前記表示制御手段は、前記矯正光学系が変更されるに応じて、前記矯正光学系による前記視標光束の光線追跡の描写を、変更された前記矯正光学系よる前記視標光束の光線追跡の描写に変更して表示することを特徴とする自覚式検眼装置。
【請求項５】
請求項１〜４のいずれかの自覚式検眼装置において、
前記制御手段は、前記被検眼の光学特性として、前記前記他覚式測定手段によって前記被検眼の光学特性を他覚的に測定して第１光学特性を取得するとともに、前記自覚式測定手段によって前記被検眼の光学特性を自覚的に測定している間に、前記他覚式測定手段によって前記被検眼の光学特性を他覚的に測定して第２光学特性を取得し、
前記表示制御手段は、前記結像位置として、前記第１光学特性に基づく第１結像位置と、前記第２光学特性に基づく第２結像位置と、を比較可能に表示することを特徴とする自覚式検眼装置。
【請求項６】
請求項１〜５のいずれかの自覚式検眼装置において、
前記表示制御手段は、さらに、前記眼図における前記結像位置についての理解を補助するためのガイド情報を表示することを特徴とする自覚式検眼装置。
【請求項７】
請求項１〜６のいずれかの自覚式検眼装置において、
前記表示制御手段は、前記被検眼の光学特性における少なくとも球面情報に基づいて前記結像位置を表示することを特徴とする自覚式検眼装置。
【請求項８】
請求項１〜６のいずれかの自覚式検眼装置において、
前記表示制御手段は、前記被検眼の光学特性における少なくとも乱視情報に基づいて前記結像位置を表示することを特徴とする自覚式検眼装置。
【請求項９】
視標光束を被検眼に向けて投影する投光光学系の光路中に配置され、前記視標光束の光学特性を変化する矯正光学系と、を有し、前記被検眼の光学特性を自覚的に測定する自覚式測定手段を備え、被検眼の光学特性を自覚的に測定する自覚式検眼装置であって、被検眼の眼底に測定光を出射し、その反射光を受光する測定光学系を有し、前記被検眼の光学特性を他覚的に測定する他覚式測定手段と、前記自覚式測定手段によって前記被検眼の光学特性を自覚的に測定している間に、前記他覚式測定手段によって前記被検眼の光学特性を他覚的に測定する制御手段と、を備える自覚式検眼装置において用いられる自覚式検眼プログラムであって、前記自覚式検眼装置のプロセッサによって実行されることで、
前記被検眼及び前記被検眼に入射する前記視標光束の結像位置が少なくとも描写される眼図を表示する表示制御ステップであって、前記他覚式測定手段によって他覚的に測定された光学特性に基づいて、前記結像位置を表示する表示制御ステップと、
を前記自覚式検眼装置に実行させることを特徴とする自覚式検眼プログラム。
【発明の詳細な説明】
【技術分野】
【０００１】
本開示は、被検眼の光学特性を測定する自覚式検眼装置及び自覚式検眼プログラムに関する。
【背景技術】
【０００２】
自覚式検眼装置としては、被検者の眼前に球面レンズや柱面レンズ等の光学部材を配置し、この光学部材を介して被検眼に検査視標を呈示することによって、被検眼の光学特性（屈折力等）を測定するものが知られている（特許文献１参照）。
【先行技術文献】
【特許文献】
【０００３】
【特許文献１】特開平５−１７６８９３号公報
【発明の概要】
【０００４】
自覚式測定により被検眼を矯正した場合等には、その矯正状態によって被検眼の光学特性が変化する。検者が被検者の回答によって矯正状態を変更しながら自覚式測定を進める際に、現在の矯正状態を知る方法としては、検者の回答から現在の矯正状態を判断する方法がある。しかしながら、この方法では被検眼の他覚的な光学特性を知ることが困難であり、このため、被検眼に対する矯正状態が適切であるかを判断しづらく、測定に時間がかかったり、精度よく測定できないことがあった。
【発明が解決しようとする課題】
【０００５】
本開示は、上記従来技術に鑑み、被検眼の光学特性を精度よく測定することができる自覚式検眼装置を提供することを技術課題とする。
【課題を解決するための手段】
【０００６】
上記課題を解決するため、本開示は以下の構成を備えることを特徴とする。
（１）  本開示の第１態様に係る自覚式検眼装置は、視標光束を被検眼に向けて投影する投光光学系の光路中に配置され、前記視標光束の光学特性を変化する矯正光学系と、を有し、前記被検眼の光学特性を自覚的に測定する自覚式測定手段を備え、被検眼の光学特性を自覚的に測定する自覚式検眼装置であって、被検眼の眼底に測定光を出射し、その反射光を受光する測定光学系を有し、前記被検眼の光学特性を他覚的に測定する他覚式測定手段と、前記自覚式測定手段によって前記被検眼の光学特性を自覚的に測定している間に、前記他覚式測定手段によって前記被検眼の光学特性を他覚的に測定する制御手段と、前記被検眼及び前記被検眼に入射する前記視標光束の結像位置が少なくとも描写される眼図を表示する表示制御手段であって、前記他覚式測定手段によって他覚的に測定された光学特性に基づいて、前記結像位置を表示する表示制御手段と、を備えることを特徴とする。
（２）  本開示の第２様態に係る自覚式検眼プログラムは、視標光束を被検眼に向けて投影する投光光学系の光路中に配置され、前記視標光束の光学特性を変化する矯正光学系と、を有し、前記被検眼の光学特性を自覚的に測定する自覚式測定手段を備え、被検眼の光学特性を自覚的に測定する自覚式検眼装置であって、被検眼の眼底に測定光を出射し、その反射光を受光する測定光学系を有し、前記被検眼の光学特性を他覚的に測定する他覚式測定手段と、前記自覚式測定手段によって前記被検眼の光学特性を自覚的に測定している間に、前記他覚式測定手段によって前記被検眼の光学特性を他覚的に測定する制御手段と、を備える自覚式検眼装置において用いられる自覚式検眼プログラムであって、前記自覚式検眼装置のプロセッサによって実行されることで、前記被検眼及び前記被検眼に入射する前記視標光束の結像位置が少なくとも描写される眼図を表示する表示制御ステップであって、前記他覚式測定手段によって他覚的に測定された光学特性に基づいて、前記結像位置を表示する表示制御ステップと、を前記自覚式検眼装置に実行させることを特徴とする自覚式検眼プログラム。
【図面の簡単な説明】
【０００７】
【図１】本実施例に係る自覚式検眼装置の外観図である。
【図２】測定手段の構成について説明する図である。
【図３】自覚式検眼装置の内部を正面方向から見た概略構成図である。
【図４】自覚式検眼装置の内部を側面方向から見た概略構成図である。
【図５】自覚式検眼装置の内部を上面方向から見た概略構成図である。
【図６】自覚式検眼装置の制御系を示す図である。
【図７】モニタに表示される操作画面の一例を示す図である。
【図８】自覚式測定の開始前に表示される眼図を拡大して示す図である。
【図９】眼図にて描写される光線及び視標光束の結像位置が球面度数により変化することを説明する図である。
【図１０】新たに取得された光学特性に基づいて結像位置が変更された眼図である。
【図１１】初期の矯正度数にて矯正した場合の眼図である。
【図１２】近用状態において自覚式測定中に他覚式測定を行った場合の眼図である。
【図１３】柱面度数及び乱視軸角度を表した眼図である。
【図１４】度数ガイドの一例である。
【図１５】被検眼の調節可能範囲を示す図の一例である。
【図１６】第１光学特性に基づく第１結像位置と第２光学特性に基づく第２結像位置とが表示された眼図の一例である。
【発明を実施するための形態】
【０００８】
＜概要＞
以下、典型的な実施形態の１つについて、図面を参照して説明する。図１〜図１６は本実施形態に係る自覚式検眼装置を説明する図である。なお、本開示においては、本実施例に記載した装置に限定されない。例えば、下記実施例の機能を行う端末制御ソフトウェア（プログラム）を、ネットワークまたは各種記憶媒体等を介してシステムあるいは装置に供給し、システムあるいは装置の制御装置（例えば、ＣＰＵ等）がプログラムを読み出して実行することも可能である。なお、以下の＜＞にて分類された項目は、独立または関連して利用されうる。
【０００９】
なお、以下の説明においては、自覚式検眼装置の奥行き方向（被検者の測定の際の被検者の前後方向）をＺ方向、奥行き方向に垂直（被検者の測定の際の被検者の左右方向）な平面上の水平方向をＸ方向、鉛直方向（被検者の測定の際の被検者の上下方向）をＹ方向として説明する。なお、以下符号に付されるＲ、Ｌはそれぞれ右眼用、左眼用を示すものとする。
【００１０】
例えば、本実施形態における自覚式検眼装置（例えば、自覚式検眼装置１）は、自覚式測定手段を備える。また、例えば、自覚式検眼装置は他覚式測定手段を備える。また、例えば、本実施形態における自覚式検眼装置は、制御手段（例えば、制御部７０）を備える。また、例えば、本実施形態における自覚式検眼装置は、表示制御手段（例えば、制御部７０）を備える。
【００１１】
＜自覚式測定手段＞
例えば、自覚式測定手段は、被検眼の光学特性を自覚的に測定する。例えば、自覚的に測定される被検眼の光学特性としては、眼屈折力（例えば、球面度数、柱面度数、乱視軸角度等）、コントラスト感度、両眼視機能（例えば、斜位量、立体視機能等）等が挙げられる。
【００１２】
例えば、自覚式測定手段は、投光光学系（例えば、投光光学系３０）を備える。また、例えば、投光光学系は、視標光束を被検眼に向けて投影する。また、例えば、自覚式測定手段は、矯正光学系（例えば、矯正光学系６０、自覚式測定光学系２５）を備える。例えば、矯正光学系は、投光光学系の光路中に配置され、視標光束の光学特性を変化させる。なお、投光光学系については、自覚式測定手段において、一体的に設けられている必要はなく、別途、投光光学系を備える装置が設けられる構成であってもよい。すなわち、本実施形態における自覚式測定手段としては、少なくとも矯正光学系を備える構成であってもよい。
【００１３】
＜投光光学系＞
例えば、投光光学系は、視標光束を投影する光源を有する。また、例えば、投光光学系は、視標光束を投影する光源から投影された視標光束を被検眼に向けて導光する少なくとも１つ以上の光学部材等を有してもよい。
【００１４】
例えば、視標光束を投影する光源としては、ディスプレイ（例えば、ディスプレイ３１）を用いる構成であってもよい。例えば、ディスプレイとしては、ＬＣＤ（Liquid Crystal Display）や有機ＥＬ（Electro Luminescence）等が用いられる。例えば、ディスプレイには、ランドルト環視標等の検査視標等が表示される。
【００１５】
例えば、視標光束を投影する光源としては、光源とＤＭＤ（Digital Micromirror Device）を用いてもよい。一般的にＤＭＤは反射率が高く、明るい。そのため、偏光を用いる液晶ディスプレイを用いた場合と比べ、視標光束の光量を維持できる。
【００１６】
例えば、視標光束を投影する光源としては、視標呈示用可視光源と、視標板と、を有する構成であってもよい。この場合、例えば、視標板は、回転可能なディスク板であり、複数の視標を持つ。複数の視標は、例えば、自覚測定時に使用される視力検査用視標、等を含んでいる。例えば、視力検査用視標は、視力値毎の視標（視力値０．１、０．３、・・・、１．５）が用意されている。例えば、視標板はモータ等によって回転され、視標は、被検眼に視標光束が導光される光路上で切換え配置される。もちろん、視標光束を投影する光源としては、上記構成以外の光源を用いてもよい。
【００１７】
＜矯正光学系＞
例えば、矯正光学系は、視標光束の光学特性（例えば、球面度数、円柱度数、乱視軸角度、偏光特性、及び収差量、等の少なくともいずれか）を変更する構成であればよい。例えば、視標光束の光学特性を変更する構成として、光学素子を制御する構成であってもよい。例えば、光学素子としては、球面レンズ、円柱レンズ、クロスシリンダレンズ、ロータリプリズム、波面変調素子、等の少なくともいずれかを用いる構成であってもよい。もちろん、例えば、光学素子としては、上記記載の光学素子とは異なる光学素子を用いるようにしてもよい。
【００１８】
例えば、矯正光学系は、被検眼に対する視標の呈示位置（呈示距離）が光学的に変えられることにより、被検眼の球面度数が矯正される構成であってもよい。この場合、例えば、視標の呈示位置（呈示距離）が光学的に変更する構成としては、光源（例えば、ディスプレイ）を光軸方向に移動させる構成であってもよい。また、この場合、例えば、光路中に配置された光学素子（例えば、球面レンズ）を光軸方向に移動させる構成であってもよい。もちろん、矯正光学系は、光学素子を制御する構成と光路中に配置された光学素子を光軸方向に移動させる構成と組み合わせた構成であってもよい。
【００１９】
例えば、矯正光学系としては、被検眼の眼前に配置される光学素子を切り換えて配置する検眼ユニット（フォロプタ）であってもよい。例えば、検眼ユニットは、複数の光学素子が同一円周上に配置されたレンズディスクと、レンズディスクを回転させるための駆動手段と、を有し、駆動手段（例えば、モータ）の駆動により光学素子を電気的に切り換える構成であってもよい。
【００２０】
例えば、矯正光学系としては、投光光学系から視標光束を被検眼に向けて導光するための光学部材と、視標呈示手段と、間に光学素子を配置して、光学素子を制御することによって、視標光束の光学特性を変更する構成であってもよい。すなわち、矯正光学系としては、ファントムレンズ屈折計（ファントム矯正光学系）の構成であってもよい。この場合、例えば、矯正光学系によって矯正された視標光束が光学部材を介して被検眼に導光される。
【００２１】
＜他覚式測定手段＞
例えば、他覚式測定手段は、被検眼の光学特性を他覚的に測定する。例えば、他覚的に測定される被検眼の光学特性としては、眼屈折力（例えば、球面度数、柱面度数、乱視軸角度等）、偏光特性、水晶体の厚み情報等が挙げられる。なお、本実施形態においては、被検眼の眼屈折力を測定する他覚式測定手段を例に挙げて説明する。例えば、他覚式測定手段は、被検眼の眼底に測定光を出射し、その反射光を受光する測定光学系（例えば、他覚式測定光学系１０）を備える。例えば、他覚的に測定される被検眼の光学特性としては、他覚式測定手段によって撮像された撮像結果（撮像画像）及び撮像結果を解析処理することによって取得されるパラメータの少なくともいずれかであってもよい。すなわち、他覚的に測定される被検眼の光学特性としては、他覚式測定手段によって撮像される撮像結果に基づくものであればよい。
【００２２】
例えば、他覚式測定手段は、左右一対に設けられた右被検眼用測定光学系と左被検眼用測定光学系を有するようにしてもよい。この場合、例えば、右被検眼用測定光学系と左被検眼用測定光学系の測定を略同時に実行するようにしてもよい。また、この場合、例えば、右被検眼用測定光学系と左被検眼用測定光学系の測定を異なるタイミングで実施するようにしてもよい。例えば、異なるタイミングは、右被検眼用測定光学系と左被検眼用測定光学系の一方の測定光学系の測定が完了したタイミングであってもよい。また、例えば、異なるタイミングは、右被検眼用測定光学系と左被検眼用測定光学系の一方の測定光学系の測定を実施している間であってもよい。
【００２３】
また、例えば、他覚式測定手段は、１つの測定光学系によって、左右被検眼の測定が行われるようにしてもよい。この場合、例えば、一方の被検眼の眼底に測定光を出射して被検眼の測定を行うとともに、一方の眼の測定が完了した場合に、他方の被検眼の眼底に測定光が出射できるように調整を行い、他方の被検眼の測定を行う構成としてもよい。
【００２４】
＜測定光学系＞
例えば、測定光学系は、被検眼の眼底に向けて光源から測定光を投光する投光光学系と、測定光の眼底での反射によって取得される反射光を撮像素子で撮像する撮像光学系と、を有する。例えば、測定光学系は、被検眼の眼屈折力を測定する光学系であってもよい。この場合、例えば、測定光学系としては、被検眼の瞳孔中心部を介して被検眼の眼底にスポット状の測定指標を投影し、眼底から反射された眼底反射光を、瞳孔周辺部を介してリング状に取り出し、撮像素子にリング状の眼底反射像を撮像させる構成が挙げられる。また、この場合、例えば、測定光学系としては、瞳孔周辺部から眼底にリング状の測定指標を投影し、瞳孔中心部から眼底反射光を取り出し、撮像素子にリング状の眼底反射像を撮像させる構成が挙げられる。また、この場合、例えば、測定光学系は、シャックハルトマンセンサーを備えた構成であってもよい。また、この場合、例えば、測定光学系は、被検眼にスリットを投影する位相差方式を有する構成であってもよい。
【００２５】
＜制御手段＞
例えば、制御手段は、自覚式測定手段によって被検眼の光学特性を自覚的に測定している間に、他覚式測定手段によって被検眼の光学特性を他覚的に測定する。なお、例えば、他覚式測定手段によって被検眼の光学特性を他覚的に測定する際には、自覚式測定手段による被検眼の光学特性の自覚的な測定を続けてもよい。また、例えば、他覚式測定手段によって被検眼の光学特性を他覚的に測定する際には、自覚式測定手段による被検眼の光学特性の自覚的な測定を一時的に停止させるようにしてもよい。この場合、他覚式測定手段によって他覚測定が完了した場合に、自覚式測定手段による被検眼の光学特性の自覚的な測定を再開するようにしてもよい。
【００２６】
例えば、制御手段は、自覚式測定手段によって被検眼の光学特性を自覚的に測定している間に、他覚式測定手段によって被検眼の光学特性を他覚的に複数回測定してもよい。例えば、複数回の測定は、所定の時間が経過したタイミング毎に行われてもよい。また、例えば、複数回の測定は、常時測定が実施されることで、リアルタイムに行われてもよい。
【００２７】
なお、複数回の測定は、他覚式測定を開始するためのトリガ信号が出力されることで開始されてもよい。このようなトリガ信号は、自覚式測定の開始時（測定モードを切り換えた時、自覚式測定のプログラムが開始された時、矯正光学系の駆動を開始した時、等のいずれか）、予め設定された時間の経過時（例えば、自覚式測定の開始から所定時間が経過した時等）検査視標の切り換え時、自覚式測定と自覚式測定との間（複数の検査項目を行う場合）、被検者が自覚式測定にて回答した時（検者が被検者の回答に基づく操作を行った時）、等の少なくともいずれかであってもよい。もちろん、これら以外のタイミングで、他覚式測定を開始するためのトリガ信号が出力されるようにしてもよい。
【００２８】
例えば、制御手段は、被検眼の光学特性として、他覚式測定手段によって被検眼の光学特性を他覚的に測定して第１光学特性を取得するとともに、自覚式測定手段によって被検眼の光学特性を自覚的に測定している間に、他覚式測定手段によって被検眼の光学特性を他覚的に測定して第２光学特性を取得してもよい。
【００２９】
例えば、第１光学特性を取得するタイミングとしては、自覚式測定手段によって被検眼の光学特性を自覚的に測定した後に取得するようにしてもよい。この場合、例えば、制御手段は、自覚式測定手段によって被検眼の光学特性を自覚的な測定が完了した後、他覚式測定手段によって被検眼の光学特性を他覚的に測定し、第１光学特性を取得するようにしてもよい。また、例えば、第１光学特性を取得するタイミングとしては、自覚式測定手段によって被検眼の光学特性を自覚的に測定している間に取得するようにしてもよい。この場合、例えば、自覚式測定手段によって被検眼の光学特性を自覚的に測定している間に第１光学特性を取得するとともに、第１光学特性を取得した後に第２光学特性を取得するようにしてもよい。
【００３０】
＜表示制御手段＞
例えば、表示制御手段は、被検眼及び被検眼に入射する視標光束の結像位置が少なくとも描写される眼図（例えば、眼図１１０）を表示する。また、例えば、表示制御手段は、他覚式測定手段によって他覚的に測定された光学特性に基づいて、結像位置を表示する。このような構成であることによって、眼図には他覚的に測定された光学特性に基づく結像位置が表示されるので、自覚式測定において変更した矯正度数が被検眼に対して適切であるかを容易に判断することができる。
【００３１】
例えば、眼図は、被検眼が描写された図と、被検眼に入射する視標光束の結像位置が描写された図と、を少なくとも含むものであればよい。例えば、結像位置が描写された図は、被検眼の光学特性に基づいて表示される。この場合、表示制御手段は、被検眼の光学特性における少なくとも球面情報に基づいて、結像位置を表示するようにしてもよい。例えば、球面情報は、被検眼の球面度数であってもよい。また、この場合、表示制御手段は、被検眼の光学特性における少なくとも乱視情報に基づいて、結像位置を表示するようにしてもよい。例えば、乱視情報は、被検眼の円柱度数と乱視軸角度との少なくともいずれかであってもよい。
【００３２】
また、例えば、眼図には、矯正光学系の描写が含まれていてもよい。例えば、矯正光学系の描写としては、矯正レンズを模した図、プリズムを模した図、雲霧用レンズを模した図、コンタクトレンズを模した図、等の少なくともいずれかが描写されたものであってもよい。すなわち、矯正光学系の描写は、被検眼の矯正状態を示す図であってもよい。また、例えば、眼図には、矯正光学系による視標光束の光線追跡の描写が含まれていてもよい。例えば、光線追跡の描写は、被検眼に対して視標光束がどのように入射するかを表した光線図であってもよい。
【００３３】
また、例えば、眼図には、結像位置についての理解を補助するためのガイド情報が含まれていてもよい。例えば、ガイド情報としては、被検眼の見え方を示すシミュレーション画像、被検眼の矯正度数を設定する際の目安を表す度数ガイド、被検眼の調節可能範囲、等の少なくともいずれかが用いられてもよい。例えば、本実施例における表示制御手段は、このようなガイド情報を眼図に表示することができる。このため、ガイド情報を参考にして被検眼の光学特性を理解することができる。また、ガイド情報を参考にして被検眼の矯正度数を変更し、視標光束の結像位置を変化させることができる。
【００３４】
例えば、表示制御手段は、他覚式測定手段による複数回の測定によって、新たに光学特性が測定されるのに応じて、新たな光学特性に基づいて結像位置を変更して表示する。このため、リアルタイムに変更される眼図を確認しながら被検眼に対する矯正度数を変更することができ、被検眼に適した矯正度数となったかどうかを判断しやすくなる。なお、この場合、表示制御手段は、矯正光学系が変更されるに応じて、矯正光学系の描写を変更された矯正光学系の描写に変更して表示してもよい。また、この場合、表示制御手段は、矯正光学系が変更されるに応じて、矯正光学系による視標光束の光線追跡の描写を、変更された矯正光学系よる視標光束の光線追跡の描写に変更して表示してもよい。これによって、眼図を確認することで、矯正光学系の矯正状態の変化や、被検眼に入射する視標光束の変化等を理解することができる。
【００３５】
また、例えば、表示制御手段は、眼図に表示される結像位置として、第１光学特性に基づく第１結像位置（例えば、第１結像位置１９０）と、第２光学特性に基づく第２結像位置（例えば、第２結像位置２００）と、を比較可能に表示してもよい。例えば、第１光学特性に基づく第１結像位置と、第２光学特性に基づく第２結像位置と、を比較可能に表示する構成としては、眼図に第１結像位置と第２結像位置とを表示するようにしてもよい。この場合には、眼図に第１結像位置と第２結像位置とを重畳してもよい。また、この場合には、第１結像位置が含まれる眼図と第２結像位置が含まれる眼図とを並べて表示してもよい。また、第１光学特性に基づく第１結像位置と、第２光学特性に基づく第２結像位置と、を比較可能に表示する構成としては、第１結像位置と第２結像位置とのずれ情報を取得して表示するようにしてもよい。このような構成であることによって、検者は、被検眼の光学特性が第１光学特性から第２光学特性に変化したことを容易に理解することができる。また、検者は、第１光学特性と第２光学特性にどれくらいの違いがあるかを確認することができる。
【００３６】
＜実施例＞
以下、本実施例における自覚式検眼装置について説明する。例えば、自覚式検眼装置としては、自覚式測定手段を備えていてもよい。また、例えば、自覚式検眼装置としては、他覚式測定手段を備えていてもよい。なお、本実施例においては、自覚式測定手段と、他覚式測定手段と、をどちらも備えた自覚式検眼装置を例に挙げて説明する。
【００３７】
図１は、本実施例に係る自覚式検眼装置１の外観図を示す。例えば、自覚式検眼装置１は、筐体２、呈示窓３、モニタ４、顎台５、基台６、前眼部撮像光学系１００等を備える。例えば、筐体２は、その内部に測定手段７を備える（詳細については後述する）。例えば、呈示窓３は、被検者に視標を呈示するために用いる。例えば、被検者の被検眼Ｅには、測定手段７からの視標光束が呈示窓３を介して投影される。
【００３８】
例えば、モニタ（ディスプレイ）４は、被検眼Ｅの光学特性結果（例えば、球面度数Ｓ、柱面度数Ｃ、乱視軸角度Ａ等）を表示する。例えば、モニタ４はタッチパネルである。すなわち、本実施例においては、モニタ４が操作部（コントローラ）として機能する。例えば、モニタ４から入力された操作指示に応じた信号は、後述する制御部７０に出力される。なお、モニタ４はタッチパネル式でなくてもよいし、モニタ４と操作部とを別に設ける構成であってもよい。例えば、この場合には、操作部として、マウス、ジョイスティック、キーボード等の操作手段の少なくともいずれかを用いる構成が挙げられる。
【００３９】
例えば、モニタ４は、筺体２に搭載されたディスプレイであってもよいし、筺体２に接続されたディスプレイであってもよい。例えば、この場合には、パーソナルコンピュータのディスプレイを用いる構成としてもよい。また、複数のディスプレイを併用してもよい。
【００４０】
例えば、顎台５によって、被検眼Ｅと自覚式検眼装置１との距離が一定に保たれる。なお、本実施例では、被検眼Ｅと自覚式検眼装置１との距離を一定に保つために顎台５を用いる構成を例に挙げて説明したがこれに限定されない。例えば、本実施例においては、被検眼Ｅと自覚式検眼装置１との距離を一定に保つために、額当てや顔当て等を用いる構成であってもよい。例えば、基台６には、顎台５と筐体２が固定されている。
【００４１】
例えば、前眼部撮像光学系１００は、図示なき撮像素子とレンズによって構成される。例えば、前眼部撮像光学系１００は、被検者の顔を撮像するために用いる。
【００４２】
＜測定手段＞
例えば、測定手段７は、左眼用測定手段７Ｌと右眼用測定手段７Ｒを備える。例えば、本実施例における左眼用測定手段７Ｌと右眼用測定手段７Ｒは、同一の部材を備えている。すなわち、本実施例における自覚式検眼装置１は、左右一対の自覚式測定手段と左右一対の他覚式測定手段を有する。もちろん、左眼用測定手段７Ｌと右眼用測定手段７Ｒは、少なくとも一部の部材が異なる構成であってもよい。
【００４３】
図２は、測定手段７の構成について説明する図である。例えば、本実施例においては、左眼用測定手段７Ｌを例に挙げて説明する。なお、右眼用測定手段７Ｒは、左眼用測定手段７Ｌと同様の構成であるため、その説明を省略する。例えば、左眼用測定手段７Ｌは、自覚式測定光学系２５、他覚式測定光学系１０、第１指標投影光学系４５、第２指標投影光学系４６、観察光学系５０等を備える。
【００４４】
＜自覚式光学系＞
例えば、自覚式測定光学系２５は、被検眼Ｅの光学特性を自覚的に測定する自覚式測定手段の構成の一部として用いられる（詳細は後述する）。例えば、被検眼Ｅの光学特性としては、眼屈折力、コントラスト感度、両眼視機能（例えば、斜位量、立体視機能等）等が挙げられる。なお、本実施例においては、被検眼Ｅの眼屈折力を測定する自覚式測定手段を例に挙げて説明する。例えば、自覚式測定光学系２５は、投光光学系（視標投光系）３０と、矯正光学系６０と、補正光学系９０とで構成される。
【００４５】
例えば、投光光学系３０は、視標光束を被検眼Ｅに向けて投影する。例えば、投光光学系３０は、ディスプレイ３１、投光レンズ３３、投光レンズ３４、反射ミラー３６、ダイクロイックミラー３５、ダイクロイックミラー２９、対物レンズ１４等を備える。例えば、ディスプレイ３１から投影された視標光束は、投光レンズ３３、投光レンズ３４、反射ミラー３６、ダイクロイックミラー３５、ダイクロイックミラー２９、対物レンズ１４の順に光学部材を経由して、被検眼Ｅに投影される。
【００４６】
例えば、ディスプレイ３１には、ランドルト環視標等の検査視標、被検眼Ｅを固視させるための固視標等が表示される。例えば、ディスプレイ３１からの視標光束は、被検眼Ｅに向けて投影される。例えば、本実施例においては、ディスプレイ３１として、ＬＣＤ（Liquid Crystal Display）を用いた場合を例に挙げて以下の説明を行う。なお、ディスプレイとしては、有機ＥＬ（Electro Luminescence）ディスプレイやプラズマディスプレイ等を用いることもできる。
【００４７】
例えば、矯正光学系６０は、投光光学系３０の光路中に配置される。例えば、矯正光学系６０は、視標光束の光学特性を変化させる。例えば、矯正光学系６０は、乱視矯正光学系６３と駆動機構３９を備える。例えば、乱視矯正光学系６３は、投光レンズ３４と投光レンズ３３との間に配置されている。例えば、乱視矯正光学系６３は、被検眼Ｅの柱面度数や円柱軸（乱視軸）等を矯正するために用いられる。例えば、乱視矯正光学系６３は、焦点距離の等しい、２枚の正の円柱レンズ６１ａと６１ｂから構成される。円柱レンズ６１ａと円柱レンズ６１ｂは、それぞれ回転機構６２ａと６２ｂの駆動によって、光軸Ｌ２を中心として各々が独立に回転される。なお、本実施例においては、乱視矯正光学系６３として、２枚の正の円柱レンズ６１ａと６１ｂを用いる構成を例に挙げて説明したがこれに限定されない。乱視矯正光学系６３は、柱面度数、乱視軸等を矯正できる構成であればよい。この場合には、例えば、矯正レンズを投光光学系３０の光路に出し入れする構成でもよい。
【００４８】
例えば、駆動機構３９は、モータ及びスライド機構からなる。例えば、駆動機構３９によって、ディスプレイ３１は光軸Ｌ２の方向に一体的に移動される。例えば、自覚測定時においては、ディスプレイ３１が移動することによって、被検眼Ｅに対する視標の呈示位置（呈示距離）が光学的に変えられ、被検眼Ｅの球面屈折力が矯正される。すなわち、ディスプレイ３１の移動によって、球面度数の矯正光学系が構成される。また、例えば、他覚測定時においては、ディスプレイ３１が移動することによって、被検眼Ｅに雲霧が掛けられる。なお、球面度数の矯正光学系としてはこれに限定されない。例えば、球面度数の矯正光学系は、多数の光学素子を有し、光路中に光学素子が配置されることによって矯正を行う構成であってもよい。また、例えば、球面度数の矯正光学系は、光路中に配置されたレンズを光軸方向に移動させる構成であってもよい。
【００４９】
なお、本実施例においては、球面度数、柱面度数、円柱軸を矯正する矯正光学系を例に挙げて説明しているがこれに限定されない。例えば、プリズム値が矯正される矯正光学系を設けてもよい。プリズム値の矯正光学系を設けることによって、被検者が斜位眼であっても、視標光束が被検眼に投影されるように矯正することができる。
【００５０】
なお、本実施例においては、柱面度数及び円柱軸（乱視軸）を矯正するための乱視矯正光学系６３と、球面度数を矯正するための矯正光学系（例えば、駆動手段３９）と、を別途設ける構成を例に挙げて説明したがこれに限定されない。例えば、矯正光学系としては、球面度数、円柱度、乱視軸が矯正される矯正光学系を備える構成であればよい。すなわち、本実施例における矯正光学系は、波面を変調させる光学系であってもよい。また、例えば、矯正光学系としては、球面度数、柱面度数、乱視軸等を矯正する光学系であってもよい。この場合には、例えば、矯正光学系が、同一円周上に多数の光学素子（球面レンズ、円柱レンズ、分散プリズム等）を配置したレンズディスクを備える構成が挙げられる。レンズディスクは駆動部（アクチュエータ等）によって回転制御され、検者が所望する光学素子（例えば、円柱レンズ、クロスシリンダレンズ、ロータリプリズム等）が、検者が所望する回転角度にて、光軸Ｌ２に配置される。例えば、光軸Ｌ２に配置される光学素子の切換え等は、モニタ４等の操作によって行われてもよい。
【００５１】
レンズディスクは、１つのレンズディスク、又は複数のレンズディスクからなる。複数のレンズディスクが配置された場合、各レンズディスクに対応する駆動部がそれぞれ設けられる。例えば、レンズディスク群として、各レンズディスクが開口（又は０Ｄのレンズ）及び複数の光学素子を備える。各レンズディスクの種類としては、度数の異なる複数の球面レンズを有する球面レンズディスク、度数の異なる複数の円柱レンズを有する円柱レンズディスク、複数種類の補助レンズを有する補助レンズディスクが代表的である。補助レンズディスクには、赤フィルタ／緑フィルタ、プリズム、クロスシリンダレンズ、偏光板、マドックスレンズ、オートクロスシリンダレンズの少なくともいずれかが配置される。また、円柱レンズは、駆動部により光軸Ｌ２を中心に回転可能に配置され、ロータリプリズム及びクロスシリンダレンズは、駆動部により各光軸を中心に回転可能に配置されてもよい。
【００５２】
例えば、補正光学系９０は、対物レンズ１４と後述する偏向ミラー８１の間に配置される。例えば、補正光学系９０は、自覚測定において生じる光学収差（例えば、非点収差等）を補正するために用いられる。例えば、補正光学系９０は、焦点距離の等しい、２枚の正の円柱レンズ９１ａと９１ｂから構成される。例えば、補正光学系９０は、柱面度数と乱視軸を調整することによって、非点収差を補正する。円柱レンズ９１ａと円柱レンズ９１ｂは、それぞれ回転機構９２ａと９２ｂの駆動によって、光軸Ｌ３を中心として各々が独立に回転される。なお、本実施例では、補正光学系９０として、２枚の正の円柱レンズ９１ａと９１ｂを用いる構成を例に挙げて説明したがこれに限定されない。補正光学系９０は、非点収差を矯正できる構成であればよい。この場合には、例えば、補正レンズを光軸Ｌ３に出し入れする構成でもよい。
【００５３】
なお、本実施例においては、矯正光学系６０とは別に補正光学系９０を配置する構成を例に挙げて説明したがこれに限定されない。例えば、矯正光学系６０が補正光学系９０を兼用する構成であってもよい。この場合には、被検眼Ｅの柱面度数と円柱軸（乱視軸）が非点収差量に応じて補正される。すなわち、矯正光学系６０が、非点収差量を考慮した（補正した）柱面度数や乱視軸に矯正するように駆動される。例えば、矯正光学系６０と補正光学系９０とを兼用することによって、複雑な制御を必要としないため、簡易的な構成で光学収差を補正することができる。また、例えば、矯正光学系６０と補正光学系９０とを兼用することによって、光学収差用の補正光学系を別途設ける必要がないため、簡易的な構成で光学収差を補正することができる。
【００５４】
＜他覚式光学系＞
例えば、他覚式測定光学系１０は、被検眼の光学特性を他覚的に測定する他覚式測定手段の構成の一部として用いられる（詳細は後述する）。例えば、被検眼の光学特性としては、眼屈折力、眼軸長、角膜形状等が挙げられる。本実施例においては、被検眼の眼屈折力を測定する他覚式測定手段を例に挙げて説明する。例えば、他覚式測定光学系１０は、投影光学系１０ａ、受光光学系１０ｂ、補正光学系９０、で構成される。
【００５５】
例えば、投影光学系（投光光学系）１０ａは、被検眼Ｅの瞳孔中心部を介して被検眼Ｅの眼底にスポット状の測定指標を投影する。例えば、受光光学系１０ｂは、眼底から反射された眼底反射光を、瞳孔周辺部を介してリング状に取り出し、二次元撮像素子２２にリング状の眼底反射像を撮像させる。
【００５６】
例えば、投影光学系１０ａは、他覚式測定光学系１０の光軸Ｌ１上に配置された測定光源１１、リレーレンズ１２、ホールミラー１３、プリズム１５、駆動部（モータ）２３、ダイクロイックミラー３５、ダイクロイックミラー２９、及び対物レンズ１４を含む。例えば、プリズム１５は光束偏向部材である。例えば、駆動部２３は、光軸Ｌ１を中心としてプリズム１５を回転駆動させる。例えば、光源１１は被検眼Ｅの眼底と共役な関係となっている。また、ホールミラー１３のホール部は、被検眼Ｅの瞳孔と共役な関係となっている。例えば、プリズム１５は被検眼Ｅの瞳孔と共役な位置から外れた位置に配置されており、通過する光束を光軸Ｌ１に対して偏心させる。なお、プリズム１５に代えて、光束偏向部材として平行平面板を光軸Ｌ１上に斜めに配置する構成でも良い。
【００５７】
例えば、ダイクロイックミラー３５は、自覚式測定光学系２５の光路と、他覚式測定光学系１０の光路と、を共通にする。すなわち、例えば、ダイクロイックミラー３５は、自覚式測定光学系２５の光軸Ｌ２と、他覚式測定光学系１０の光軸Ｌ１と、を同軸にする。例えば、光路分岐部材であるダイクロイックミラー２９は、自覚測定光学系２５による光束及び投影光学系１０ａによる測定光を反射して、被検眼Ｅに導く。
【００５８】
例えば、受光光学系１０ｂは、投影光学系１０ａの対物レンズ１４、ダイクロイックミラー２９、ダイクロイックミラー３５、プリズム１５、ホールミラー１３を共用し、ホールミラー１３の反射方向の光路に配置されたリレーレンズ１６、ミラー１７、ミラー１７の反射方向の光路に配置された受光絞り１８、コリメータレンズ１９、リングレンズ２０、ＣＣＤ等の二次元撮像素子２２を備える。例えば、受光絞り１８及び二次元撮像素子２２は、被検眼Ｅの眼底と共役な関係となっている。例えば、リングレンズ２０は、リング状に形成されたレンズ部と、レンズ部以外の領域に遮光用のコーティングを施した遮光部と、から構成され、被検眼Ｅの瞳孔と光学的に共役な位置関係となっている。例えば、二次元撮像素子２２からの出力は、制御部７０に入力される。
【００５９】
例えば、ダイクロイックミラー２９は、被検眼Ｅの眼底に導かれた投影光学系１０ａからの測定光の反射光を受光光学系１０に向けて反射する。また、例えば、ダイクロイックミラー２９は、前眼部観察光及びアライメント光を透過して、観察光学系５０に導く。例えば、ダイクロイックミラー３５は、被検眼Ｅの眼底に導かれた投影光学系１０ａからの測定光の反射光を受光光学系１０に向けて反射する。
【００６０】
なお、他覚式測定光学系１０は上記のものに限らず、瞳孔周辺部から眼底にリング状の測定指標を投影して瞳孔中心部から眼底反射光を取り出し、二次元撮像素子２２にリング状の眼底反射像を受光させる構成等、周知のものが使用できる。
【００６１】
なお、他覚式測定光学系１０は上記のものに限らず、被検眼Ｅの眼底に向けて測定光を投光する投光光学系と、眼底における測定光の反射によって取得される反射光を受光素子によって受光する受光光学系と、を有する測定光学系であればよい。例えば、眼屈折力測定光学系は、シャックハルトマンセンサーを備えた構成であってもよい。もちろん、他の測定方式を備えた装置を利用してもよい（例えば、スリットを投影する位相差方式の装置）。
【００６２】
例えば、投影光学系１０ａの光源１１と、受光光学系１０ｂの受光絞り１８、コリメータレンズ１９、リングレンズ２０、二次元撮像素子２２は、光軸方向に一体的に移動可能となっている。本実施例において、例えば、投影光学系１０ａの光源１１と、受光光学系１０ｂの受光絞り１８、コリメータレンズ１９、リングレンズ２０、二次元撮像素子２２は、ディスプレイ３１を駆動させる駆動機構３９により、光軸Ｌ１の方向に一体的に移動される。すなわち、ディスプレイ３１、投影光学系１０ａの光源１１、受光光学系１０ｂの受光絞り１８、コリメータレンズ１９、リングレンズ２０、二次元撮像素子２２は、駆動ユニット９５として同期し、一体的に移動する。もちろん、別途、それぞれが駆動される構成としてもよい。
【００６３】
例えば、駆動ユニット９５は、外側のリング光束が各経線方向に関して二次元撮像素子２２上に入射するように、他覚式測定光学系１０の一部を光軸方向に移動させる。すなわち、他覚式測定光学系１０の一部を被検眼Ｅの球面屈折誤差（球面屈折力）に応じて光軸Ｌ１方向に移動させることで、球面屈折誤差を補正し、被検眼Ｅの眼底に対して光源１１、受光絞り１８及び二次元撮像素子２２が光学的に共役になるようにする。例えば、駆動機構３９の移動位置は、図示なきポテンショメータによって検出される。なお、ホールミラー１３とリングレンズ２０は、駆動ユニット９５の移動量に拘わらず、被検眼Ｅの瞳と一定の倍率で共役になるように配置されている。
【００６４】
上記の構成において、光源１１から出射された測定光束は、リレーレンズ１２、ホールミラー１３、プリズム１５、ダイクロイックミラー３５、ダイクロイックミラー２９、対物レンズ１４、を経て被検眼Ｅの眼底上にスポット状の点光源像を形成する。このとき、光軸周りに回転するプリズム１５によって、ホールミラー１３におけるホール部の瞳投影像（瞳上での投影光束）は高速に偏心回転される。眼底に投影された点光源像は、反射・散乱されて被検眼Ｅから射出し、対物レンズ１４によって集光され、ダイクロイックミラー２９、ダイクロイックミラー３５、高速回転するプリズム１５、ホールミラー１３、リレーレンズ１６、ミラー１７を介して受光絞り１８の位置に再び集光され、コリメータレンズ１９とリングレンズ２０とによって二次元撮像素子２２にリング状の像が結像する。
【００６５】
例えば、プリズム１５は、投影光学系１０ａと受光光学系１０ｂの共通光路に配置されている。例えば、眼底からの反射光束は投影光学系１０ａと同じプリズム１５を通過するため、それ以降の光学系では、あたかも瞳孔上における投影光束・反射光束（受光光束）の偏心がなかったかのように逆走査される。
【００６６】
例えば、補正光学系９０は、自覚式測定光学系２５と兼用される。もちろん、別途、他覚式測定光学系１０で用いる補正光学系を設ける構成としてもよい。
【００６７】
＜第１指標投影光学系及び第２指標投影光学系＞
例えば、本実施例においては、第１指標投影光学系４５及び第２指標投影光学系４６が、補正光学系９０と、偏向ミラー８１との間に配置される。もちろん、第１指標投影光学系４５及び第２指標投影光学系４６の配置位置は、これに限定されない。例えば、第１指標投影光学系４５と第２指標投影光学系４６は、筐体２のカバーに備えられていてもよい。例えば、この場合には、第１指標投影光学系４５及び第２指標投影光学系４６が、呈示窓３の周囲に配置される構成が挙げられる。
【００６８】
例えば、第１指標投影光学系４５は、光軸Ｌ３を中心として同心円上に４５度間隔で赤外光源が複数個配置されており、光軸Ｌ３を通る垂直平面を挟んで左右対称に配置されている。例えば、第１指標投影光学系４５は、被検眼Ｅの角膜にアライメント指標を投影するための近赤外光を発する。例えば、第２指標投影光学系４６は、第１指標投影光学系４５とは異なる位置に配置された６つの赤外光源を備える。この場合、第１指標投影光学系４５は、被検眼Ｅの角膜に無限遠の指標を左右方向から投影し、第２指標投影光学系４６は被検眼Ｅの角膜に有限遠の指標を上下方向もしくは斜め方向から投影する構成となっている。なお、便宜上、図２には第１指標投影光学系４５と第２指標投影光学系４６の一部のみを図示している。なお、第２指標投影光学系４６は、被検眼Ｅの前眼部を照明する前眼部照明としても用いられる。また、第２指標投影光学系４６は、角膜形状測定用の指標としても利用できる。なお、第１指標投影光学系４５及び第２指標投影光学系４６は、点状光源に限定されない。例えば、リング状の光源やライン状の光源であってもよい。
【００６９】
＜観察光学系＞
例えば、観察光学系（撮像光学系）５０は、自覚式測定光学系２５及び他覚式測定光学系１０における対物レンズ１４とダイクロイックミラー２９を共用し、撮像レンズ５１及び二次元撮像素子５２を備える。例えば、撮像素子５２は、被検眼Ｅの前眼部と略共役な位置に配置された撮像面を持つ。例えば、撮像素子５２からの出力は、制御部７０に入力される。これによって、被検眼Ｅの前眼部画像は二次元撮像素子５２により撮像され、モニタ４上に表示される。なお、この観察光学系５０は、第１指標投影光学系４５及び第２指標投影光学系４６によって、被検眼Ｅの角膜に形成されるアライメント指標像を検出する光学系を兼ね、制御部７０によってアライメント指標像の位置が検出される。
【００７０】
＜自覚式検眼装置内部構成＞
以下、自覚式検眼装置１の内部構成について説明する。図３は、本実施例に係る自覚式検眼装置１の内部を正面方向（図１のＡ方向）から見た概略構成図である。図４は、本実施例に係る自覚式検眼装置１の内部を側面方向（図１のＢ方向）から見た概略構成図である。図５は、本実施例に係る自覚式検眼装置１の内部を上面方向（図１のＣ方向）から見た概略構成図である。なお、図３では、説明の便宜上、ハーフミラー８４の反射を示す光軸については省略している。また、図４では、説明の便宜上、左眼用測定手段７Ｌの光軸のみを示している。また、図５では、説明の便宜上、左眼用測定手段７Ｌの光軸のみを示している。
【００７１】
例えば、自覚式検眼装置１は、自覚式測定手段と、他覚式測定手段と、を備える。例えば、自覚式測定手段は、測定手段７、偏向ミラー８１、駆動手段８２、駆動手段８３、ハーフミラー８４、凹面ミラー８５、で構成される。もちろん、自覚式測定手段は、この構成に限定されない。一例として、ハーフミラー８４を有しない構成であってもよい。この場合、凹面ミラー８５の光軸に対して光束を斜め方向から照射して、その反射光束を被検眼Ｅに導光するようにしてもよい。例えば、他覚式測定手段は、測定手段７、偏向ミラー８１、ハーフミラー８４、凹面ミラー８５、で構成される。もちろん、他覚式測定手段は、この構成に限定されない。一例として、ハーフミラー８４を有しない構成であってもよい。この場合、凹面ミラー８５の光軸に対して光束を斜め方向から照射して、その反射光束を被検眼Ｅに導光するようにしてもよい。
【００７２】
例えば、自覚式検眼装置１は、左眼用駆動手段９Ｌと右眼用駆動手段９Ｒとを有し、左眼用測定手段７Ｌ及び右眼用測定手段７ＲをそれぞれＸ方向に移動することができる。例えば、左眼用測定手段７Ｌ及び右眼用測定手段７Ｒが移動されることによって、偏向ミラー８１と測定手段７との間の距離が変更され、Ｚ方向における視標光束の呈示位置が変更される。これによって、矯正光学系６０によって矯正された視標光束を被検眼Ｅに導光し、矯正光学系６０によって矯正された視標光束の像が被検眼Ｅの眼底に形成されるように、測定手段７をＺ方向に調整することができる。
【００７３】
例えば、偏向ミラー８１は、左右一対にそれぞれ設けられた、右眼用の偏向ミラー８１Ｒと左眼用の偏向ミラー８１Ｌとを有する。例えば、偏向ミラー８１は、矯正光学系６０と被検眼Ｅとの間に配置される。すなわち、矯正光学系６０は、左右一対に設けられた左眼用矯正光学系と右眼用矯正光学系とを有しており、左眼用の偏向ミラー８１Ｌは左眼用矯正光学系と左眼ＥＲの間に配置され、右眼用の偏向ミラー８１Ｒは右眼用矯正光学系と右眼ＥＲの間に配置される。例えば、偏向ミラー８１は、瞳の共役位置に配置されることが好ましい。
【００７４】
例えば、左眼用の偏向ミラー８１Ｌは、左眼用測定手段７Ｌから投影される光束を反射し、左被検眼ＥＬに導光する。また、例えば、左眼用の偏向ミラー８１Ｌは、左被検眼ＥＬで反射された反射光を反射し、左眼用測定手段７Ｌに導光する。例えば、右眼用の偏向ミラー８１Ｒは、右眼用測定手段７Ｒから投影される光束を反射し、右被検眼ＥＲに導光する。また、例えば、右眼用の偏向ミラー８１Ｒは、右被検眼ＥＲで反射された反射光を反射し、右眼用測定手段７Ｒに導光する。なお、本実施例においては、測定手段７から投影される光束を反射し、被検眼Ｅに導光する偏向部材として、偏向ミラー８１を用いる構成を例に挙げて説明しているがこれに限定されない。偏向部材は、測定手段７から投影される光束を反射し、被検眼Ｅに導光する偏向部材であればよい。例えば、偏向部材としては、プリズムやレンズ等が挙げられる。
【００７５】
例えば、駆動手段８２は、モータ（駆動部）等からなる。例えば、駆動手段８２は、左眼用の偏向ミラー８１Ｌを駆動するための駆動手段８２Ｌと、右眼用の偏向ミラー８１Ｒを駆動するための駆動手段８２Ｒと、を有する。例えば、駆動手段８２の駆動によって、偏向ミラー８１は回転移動する。例えば、駆動手段８２は、水平方向（Ｘ方向）の回転軸、及び鉛直方向（Ｙ方向）の回転軸に対して偏向ミラー８１を回転させる。すなわち、駆動手段８２は偏向ミラー８１をＸＹ方向に回転させる。なお、偏向ミラー８１の回転は、水平方向又は鉛直方向の一方であってもよい。
【００７６】
例えば、駆動手段８３は、モータ（駆動部）等からなる。例えば、駆動手段８３は、左眼用の偏向ミラー８１Ｌを駆動するための駆動手段８３Ｌと、右眼用の偏向ミラー８１Ｒを駆動するための駆動手段８３Ｒと、を有する。例えば、駆動手段８３の駆動によって、偏向ミラー８１はＸ方向に移動する。例えば、左眼用の偏向ミラー８１Ｌ及び右眼用の偏向ミラー８１Ｒが移動されることによって、左眼用の偏向ミラー８１Ｌ及び右眼用の偏向ミラー８１Ｒとの間の距離が変更され、被検眼Ｅの瞳孔間距離にあわせて、左眼用光路と右眼用光路との間のＸ方向における距離を変更することができる。
【００７７】
なお、例えば、偏向ミラーは、左眼用光路と右眼用光路とのそれぞれにおいて複数設けられてもよい。例えば、左眼用光路と右眼用光路とのそれぞれにおいて、２つの偏向ミラーが設けられる（例えば、左眼用光路で２つの偏向ミラー等）構成が挙げられる。この場合、一方の偏向ミラーがＸ方向に回転され、他方の偏向ミラーがＹ方向に回転されてもよい。例えば、偏向ミラー８１が回転移動されることによって、矯正光学系６０の像を被検眼の眼前に形成するためのみかけの光束を偏向させることにより、像の形成位置を光学的に補正することができる。
【００７８】
例えば、凹面ミラー８５は、右眼用測定手段７Ｒと左眼用測定手段７Ｌとで共有される。例えば、凹面ミラー８５は、右眼用矯正光学系を含む右眼用光路と、左眼用矯正光学系を含む左眼用光路と、で共有される。すなわち、凹面ミラー８５は、右眼用矯正光学系を含む右眼用光路と、左眼用矯正光学系を含む左眼用光路と、を共に通過する位置に配置されている。もちろん、凹面ミラー８５は、右眼用光路と左眼用光路とで共有される構成でなくてもよい。すなわち、右眼用矯正光学系を含む右眼用光路と、左眼用矯正光学系を含む左眼用光路と、でそれぞれ凹面ミラーが設けられる構成であってもよい。例えば、凹面ミラー８５は、矯正光学系を通過した視標光束を被検眼Ｅに導光し、矯正光学系を通過した視標光束の像を被検眼Ｅの眼前に形成する。なお、本実施例においては凹面ミラー８５を用いる構成を例に挙げて説明したが、これに限定されず、種々の光学部材を用いることができる。例えば、光学部材としては、レンズや平面ミラー等を用いることができる。
【００７９】
例えば、凹面ミラー８５は、自覚式測定手段と、他覚式測定手段と、で兼用される。例えば、自覚測定光学系２５から投影された視標光束は、凹面ミラー８５を介して、被検眼Ｅに投影される。例えば、他覚測定光学系１０から投影された測定光は、凹面ミラー８５を介して、被検眼Ｅに投影される。また、例えば、他覚測定光学系１０から投影された測定光の反射光は、凹面ミラー８５を介して、他覚測定光学系１０の受光光学系１０ｂに導光される。なお、本実施例においては、他覚測定光学系１０による測定光の反射光が、凹面ミラー８５を介して、他覚測定光学系１０の受光光学系１０ｂに導光される構成を例に挙げているがこれに限定されない。例えば、他覚測定光学系１０による測定光の反射光は、凹面ミラー８５を介さない構成であってもよい。
【００８０】
より詳細には、例えば、本実施例においては、自覚式測定手段における凹面ミラー８５から被検眼Ｅまでの間の光軸と、他覚式測定手段における凹面ミラー８５から被検眼Ｅまでの間の光軸と、が少なくとも同軸で構成されている。例えば、本実施例においては、ダイクロイックミラー３５によって、自覚式測定光学系２５の光軸Ｌ２と他覚式測定光学系１０の光軸Ｌ１とが合成され、同軸となっている。
【００８１】
＜自覚測定手段の光路＞
以下、自覚測定手段の光路について説明する。例えば、自覚測定手段は、矯正光学系６０を通過した視標光束を、凹面ミラー８５によって被検眼方向に反射することで被検眼Ｅに視標光束を導光し、矯正光学系６０を通過した視標光束の像を光学的に所定の検査距離となるように被検眼Ｅの眼前に形成する。すなわち、凹面ミラー８５は、視標光束を略平行光束にするように反射する。このため、被検者から見た視標像は、被検眼Ｅからディスプレイ３１までの実際の距離よりも遠方にあるように見える。すなわち、凹面ミラー８５を用いることで、所定の検査距離の位置に視標光束の像が見えるように、被検者に視標像を呈示することができる。
【００８２】
より詳細に説明する。なお、以下の説明においては左眼用光路を例に挙げて説明するが、右眼用光路においても左眼用光路と同様の構成となっている。例えば、左眼用の自覚測定手段において、左眼用測定手段７Ｌのディスプレイ１３から投影された視標光束は、投光レンズ３３を介して、乱視矯正光学系６３に入射する。乱視矯正光学系６３を通過した視標光束は、反射ミラー３６、ダイクロイックミラー３５、ダイクロイックミラー２９、対物レンズ１４を経由して、補正光学系９０に入射される。補正光学系９０を通過した視標光束は、左眼用測定手段７Ｌから左眼用の偏向ミラー８１Ｌに向けて投影される。左眼用測定手段７Ｌから出射されて左眼用の偏向ミラー８１で反射された視標光束は、ハーフミラー８４によって凹面ミラー８５に向けて反射される。凹面ミラーによって反射された視標光束は、ハーフミラー８４を透過して左被検眼ＥＬに到達する。
【００８３】
これによって、左被検眼ＥＬの眼鏡装用位置（例えば、角膜頂点から１２ｍｍ程度）を基準として、矯正光学系６０により矯正された視標像が左被検眼ＥＬの眼底上に形成される。従って、乱視矯正光学系６３があたかも眼前に配置されたこと、及び球面度数の矯正光学系（本実施例においては、駆動機構３９の駆動）による球面度数の調整が眼前で行われたこと、と等価になっており、被検者は凹面ミラー８５を介して自然な状態で視標の像を視準することができる。なお、本実施例においては、右眼用光路においても、左眼用光路と同様の構成であり、両被検眼ＥＲ及びＥＬの眼鏡装用位置（例えば、角膜頂点から１２ｍｍ程度）を基準として、左右一対の矯正光学系６０により矯正された視標像が、両被検眼の眼底上に形成されるようになっている。このようにして、被検者は自然視の状態で視標を直視しつつ検者に対する応答を行い、検査視標が適正に見えるまで矯正光学系６０による矯正を図り、その矯正値に基づいて自覚的に被検眼の光学特性の測定を行う。
【００８４】
＜他覚測定手段の光路＞
次いで、他覚測定手段の光路について説明する。なお、以下の説明においては左眼用光路を例に挙げて説明するが、右眼用光路においても左眼用光路と同様の構成となっている。例えば、左眼用の他覚測定手段において、他覚式測定光学系１０における投影光学系１０ａの光源１１から出射された測定光は、リレーレンズ１２から対物レンズ１４までを介して補正光学系９０に入射する。補正光学系９０を通過した測定光は、左眼用測定手段７Ｌから左眼用の偏向ミラー８１Ｌに向けて投影される。左眼用測定手段７Ｌから出射されて左眼用の偏向ミラー８１で反射された測定光は、ハーフミラー８４によって凹面ミラー８５に向けて反射される。凹面ミラーによって反射された測定光は、ハーフミラー８４を透過して左被検眼ＥＬに到達し、左被検眼ＥＬの眼底上にスポット状の点光源像を形成する。このとき、光軸周りに回転するプリズム１５によって、ホールミラー１３のホール部の瞳投影像（瞳上での投影光束）は高速に偏心回転される。
【００８５】
左被検眼ＥＬの眼底上に形成された点光源像の光は、反射・散乱されて被検眼Ｅを射出し、測定光が通過した光路を経由して対物レンズ１４により集光され、ダイクロイックミラー２９、ダイクロイックミラー３５、プリズム１５、ホールミラー１３、リレーレンズ１６、ミラー１７までを介する。ミラー１７までを介した反射光は、受光絞り１８の開口上で再び集光され、コリメータレンズ１９にて略平行光束（正視眼の場合）とされ、リングレンズ２０によってリング状光束として取り出され、リング像として撮像素子２２に受光される。受光したリング像を解析することによって、他覚的に被検眼Ｅの光学特性を測定することができる。
【００８６】
＜制御部＞
図６は、本実施例に係る自覚式検眼装置１の制御系を示す図である。例えば、制御部７０には、モニタ４、不揮発性メモリ７５（以下、メモリ７５）、測定手段７が備える測定光源１１、撮像素子２２、ディスプレイ３１、二次元撮像素子５２等の各種部材が電気的に接続されている。また、例えば、制御部７０には、駆動手段９、駆動機構３９、回転機構６２ａと６２ｂ、駆動手段８３、回転機構９２ａと９２ｂがそれぞれ備える図示なき駆動部が電気的に接続されている。
【００８７】
例えば、制御部７０は、ＣＰＵ（プロセッサ）、ＲＡＭ、ＲＯＭ等を備える。例えば、ＣＰＵは、自覚式検眼装置１における各部材の制御を司る。例えば、ＲＡＭは、各種の情報を一時的に記憶する。例えば、ＲＯＭには、自覚式検眼装置１の動作を制御するための各種プログラム、各種検査のための視標データ、初期値等が記憶されている。なお、制御部７０は、複数の制御部（つまり、複数のプロセッサ）によって構成されてもよい。
【００８８】
例えば、メモリ７５は、電源の供給が遮断されても記憶内容を保持できる非一過性の記憶媒体である。例えば、メモリ７５としては、ハードディスクドライブ、フラッシュＲＯＭ、及び自覚式検眼装置１に着脱可能に装着されるＵＳＢメモリ等を使用することができる。例えば、メモリ７５には、自覚式測定手段及び他覚式測定手段を制御するための制御プログラムが記憶されている。
【００８９】
＜制御動作＞
以下、自覚式検眼装置１の制御動作を説明する。なお、本実施例においては、遠用距離にて検査視標が呈示された状態（すなわち、遠用状態）における被検眼Ｅの光学特性（他覚眼屈折力及び自覚眼屈折力）を測定する場合を例に挙げる。
【００９０】
＜被検眼のアライメント（ステップ１）＞
検者は被検者に、顎台５に顎を載せて、ディスプレイ３１に表示された固視標を呈示窓３から観察するよう指示する。被検眼Ｅには、第１視標投影光学系４５及び第２指標投影光学系４６の光源が点灯することによって、アライメント指標像が投影される。また、被検眼Ｅの前眼部は、前眼部撮像光学系１００によって検出される。制御部７０は、被検眼Ｅの前眼部が検出されると、被検眼Ｅと測定手段７との位置合わせを開始する。すなわち、制御部７０は自動アライメントを開始する。なお、自動アライメントの詳細については、例えば特開２０１７−８６６５２号公報を参照されたい。
【００９１】
＜他覚式測定（ステップ２）＞
アライメントが完了すると、制御部７０は他覚式測定光学系１０が備える光源１１から測定光束を照射させる。測定光束は、偏向ミラー８１Ｌと凹面ミラー８５を介して左被検眼ＥＬの眼底に到達し、眼底で反射された後に、凹面ミラー８５と偏向ミラー８１Ｌを介して撮像素子２２に到達する。同様に、測定光束は、偏向ミラー８１Ｒと凹面ミラー８５を介して右被検眼ＥＲの眼底に到達し、眼底で反射された後に、凹面ミラー８５と偏向ミラー８１Ｒを介して撮像素子２２に到達する。なお、他覚式測定は、左右被検眼において同時に実施されてもよいし、左右被検眼において異なるタイミングにて実施されてもよい。
【００９２】
例えば、他覚式測定においては、はじめに他覚眼屈折力の予備測定が行われ、予備測定の結果に基づいてディスプレイ３１を光軸Ｌ２方向に移動させることで、被検眼Ｅに対して雲霧がかけられてもよい。すなわち、被検眼Ｅのピントが合う位置にディスプレイ３１が一旦移動された後、適当な雲霧量となる位置にディスプレイ３１が移動されることによって、被検眼Ｅに対して雲霧がかけられてもよい。なお、雲霧量の算出についての詳細は、例えば特開２０１７−９９６４０号公報を参照されたい。
【００９３】
制御部７０は、雲霧がかけられた被検眼Ｅに対して他覚値の本測定を行う。本測定では、測定画像（前述のリング像）が撮像素子２２により撮像され、メモリ７５に記憶される。制御部７０は、リング像を画像解析して各経線方向の眼屈折力を求め、この眼屈折力に対して所定の処理を行うことで、他覚式測定により測定された被検眼Ｅの光学特性（つまり、他覚式測定により測定された球面度数Ｓと、円柱度数Ｃと、乱視軸角度Ａと、プリズム値Δと、の少なくともいずれか）を取得する。また、制御部７０は、取得した他覚式測定における光学特性をメモリ７５に記憶する。
【００９４】
なお、上記の他覚式測定において、制御部７０は他覚式測定光学系１０の光路にて生じる光学収差を補正してもよい。この場合には、予備測定で得られた眼屈折力に応じて収差補正量が設定され、設定された収差補正量に基づいて、補正光学系９０の駆動が制御される。これによって、本測定が他覚式測定光学系１０の光路にて生じる収差を補正した状態で行われ、光学特性を精度よく測定することができる。眼屈折力を連続的に測定する場合（例えば、本測定を複数回実施する場合等）には、各測定結果に基づいて補正光学系９０の駆動が制御されてもよい。
【００９５】
＜自覚式測定（ステップ３）＞
他覚式測定が完了すると、検者はモニタ４を操作して測定モードを切り換え、被検眼Ｅに対する自覚式測定を行う。制御部７０は、他覚式測定において取得された光学特性に基づいて、被検眼Ｅの眼屈折力が０Ｄに矯正されるように、矯正光学系６０と投光光学系３０との少なくともいずれかを制御する。この場合、制御部７０は、円柱レンズ６１ａと６１ｂを回転させることで柱面度数Ｃと乱視軸角度Ａとの少なくともいずれかを矯正してもよいし、ディスプレイ３１を移動させることで球面度数Ｓを矯正してもよい。これによって、被検眼Ｅの眼屈折力が０Ｄとなる矯正度数を取得することができる。なお、制御部７０は、被検眼Ｅの眼屈折力が０Ｄ以外（例えば、−１Ｄ等）に矯正されるように、矯正光学系６０と投光光学系３０との少なくともいずれかを制御してもよい。また、制御部７０は、検査視標としてディスプレイ３１に所要の視力値視標（例えば、視力値１．０の視標等）を表示する。
【００９６】
検者は、他覚式測定における光学特性に基づいて設定された矯正度数が被検者にとって適切であるかを判断するために、モニタ４に表示された所定のスイッチを選択し、被検者の回答に応じて、ディスプレイ３１に表示する視力値視標を切り換える。例えば、検者は、被検者の回答が正答の場合には１段階高い視力値視標に切り換え、被検者の回答が誤答の場合には１段階低い視力値視標に切り換える。つまり、制御部７０は、モニタ４からの視力値視標を変更する信号に基づいて、ディスプレイ３１に表示する視標を切り換える。
【００９７】
なお、上記の矯正度数が被検者にとって適切でなかった場合等、検者はモニタ４を操作して矯正光学系６０及び投光光学系３０の矯正度数を変更し、変更後の矯正度数が被検者にとって適切であるかを判断してもよい。例えば、制御部７０は、検者が適切と判断した場合の矯正度数を、自覚式測定により測定された被検眼Ｅの光学特性（つまり、自覚式測定により測定された球面度数Ｓと、柱面度数Ｃと、乱視軸角度Ａと、プリズム値Δと、の少なくともいずれか）として取得する。また、制御部７０は、取得した自覚式測定における光学特性をメモリ７５に記憶する。
【００９８】
なお、自覚式測定は、左右被検眼において同時に実施されてもよいし、左右被検眼において異なるタイミングで実施されてもよい。異なるタイミングである場合には、非測定眼側のディスプレイ３１に視力値視標を表示しない構成であってもよいし、矯正光学系６０によってフォグ（例えば、他覚眼屈折力に対して一定の屈折度数が付加される）を行う構成であってもよい。
【００９９】
＜自覚式測定中の他覚式測定＞
ここで、本実施例における自覚式検眼装置１は、被検眼Ｅの眼底に測定光を出射してその反射光を受光する受光光学系を有し、被検眼Ｅの光学特性を他覚的に測定する他覚式測定手段を備える。また、本実施例における自覚式検眼装置１は、自覚式測定手段によって被検眼Ｅの光学特性を自覚的に測定している間に、他覚式測定手段によって被検眼Ｅの光学特性を他覚的に測定する。これによって、本実施例における自覚式検眼装置１は、自覚式測定中（例えば、自覚式測定のプログラムを実行している最中等）に他覚式測定を行うことができる。例えば、このような構成としては、自覚式測定の進行中に他覚式測定を実施する構成や、自覚式測定を一旦停止して他覚式測定を実施する構成等が挙げられる。自覚式測定を一旦停止して他覚式測定を実施した場合には、一旦停止する前に行っていた自覚式測定を再開してもよいし、一旦停止する前に行っていた自覚式測定とは異なる検査項目の自覚式測定を実施してもよい。
【０１００】
例えば、被検眼Ｅの光学特性としては、他覚式測定手段によって被検眼Ｅの光学特性を他覚的に測定した第１光学特性が取得される。また、例えば、被検眼Ｅの光学特性としては、自覚式測定手段によって被検眼Ｅの光学特性を自覚的に測定している間に、他覚式測定手段によって被検眼の光学特性を他覚的に測定した第２光学特性が取得される。
【０１０１】
例えば、第１光学特性は、自覚式測定の開始前に行った他覚式測定において取得された光学特性（すなわち、ステップ２で取得された光学特性）が用いられてもよい。もちろん、第１光学特性は、自覚式測定中に行われる他覚式測定において取得される光学特性としてもよい。
【０１０２】
例えば、第２光学特性は、自覚式測定の開始後、所定の時間が経過したタイミング（例えば、自覚式測定の開始後１分が経過したタイミング等）における他覚式測定で取得される光学特性であってもよい。この場合、第２光学特性は、所定の時間が経過したタイミングで１回取得されてもよいし、所定の時間が経過したタイミング毎（例えば、１分間隔毎）に複数回取得されてもよい。すなわち、制御部７０は、自覚式測定手段によって被検眼Ｅの光学特性を自覚的に測定している間に、他覚式測定手段によって被検眼Ｅの光学特性を他覚的に複数回測定してもよい。もちろん、第２光学特性は、自覚式測定にて検査視標や矯正度数が変更されたタイミングで取得されてもよい。
【０１０３】
また、本実施例における自覚式検眼装置１は、被検眼及び被検眼に入射する視標光束の結像位置が少なくとも描写される眼図１１０（図８参照）を表示することができる。眼図１１０としては、被検眼Ｅが描写された図と、被検眼Ｅに入射する視標光束の結像位置が描写された図と、を少なくとも含むものであればよい。例えば、眼図１１０における視標光束の結像位置は、他覚式測定手段によって他覚的に測定された被検眼Ｅの光学特性に基づいて変更される。
【０１０４】
以下、眼図１１０について、自覚式測定中に行われる他覚式測定の制御動作を交えて説明する。自覚式測定中の他覚式測定では、他覚式測定手段によって被検眼Ｅの球面度数Ｓ、柱面度数Ｃ、乱視軸角度Ａ、等が取得されるが、本実施例では被検眼Ｅの球面度数Ｓを眼図１１０に表す場合を一例に挙げる。
【０１０５】
図７はモニタ４に表示される操作画面３００の一例を示す図である。操作画面３００には、視力値視標や検査視標を切り換えるためのスイッチ３０１の他、シミュレーション画像３２３や眼図１１０等が表示される。例えば、シミュレーション画像３２３は、自覚式測定中における他覚式測定の結果に基づいて生成される被検者が視力値視標や検査視標をみたときの見え方を示す画像であってもよい。
【０１０６】
他覚式測定が終了した状態（すなわち、ステップ２が終了した状態）では、他覚式測定によって取得された球面度数Ｓに基づいた眼図１１０が操作画面３００に表示される。図８は自覚式測定の開始前に表示される眼図１１０を拡大して示す図である。例えば、眼図１１０は、右被検眼ＥＲに対する視標光束の照射状態を表した右眼図１１０ａと、左被検眼ＥＬに対する視標光束の照射状態を表した左眼図１１０ｂと、を含んでいる。
【０１０７】
例えば、眼図１１０には、左右被検眼をそれぞれ模した眼球図ｅと、他覚式測定手段によって他覚的に測定された球面度数Ｓに基づいた視標光束の結像位置ｔと、が表示される。また、眼図１１０には、視標光束の光線追跡を描写した光線ｒ（言い換えると、被検眼に対して視標光束がどのように入射するかを表す光線ｒ）が表示される。例えば、遠用状態にて他覚式測定が行われた場合は、被検眼Ｅに入射する視標光束が平行光束となるため、眼球図ｅに向かう光線ｒは平行光束として描写される。また、光線ｒは、結像位置ｔにて集光するように描写される。なお、このような光線ｒは、被検眼Ｅの瞳孔径に応じて、その光束径を変化させるようにしてもよい。
【０１０８】
例えば、自覚式測定を開始する前の他覚式測定において取得された右被検眼ＥＲの球面度数Ｓが−５Ｄであったとき、右眼図１１０ａは図８に示すように表示される。また、例えば、自覚式測定を開始する前の他覚式測定において取得された左被検眼ＥＬの球面度数Ｓが−２Ｄであったとき、左眼図１１０ｂは図８に示すように表示される。
【０１０９】
ここで、眼図１１０にて描写される光線ｒ及び視標光束の結像位置ｔは、他覚式測定手段によって取得された球面度数Ｓによって変化する。図９は眼図１１０にて描写される光線ｒ及び視標光束の結像位置ｔが、球面度数Ｓにより変化することを説明する図である。図９（ａ）は被検眼Ｅの球面度数Ｓがマイナスの値であった場合である。図９（ｂ）は被検眼Ｅの球面度数Ｓが０Ｄであった場合である。図９（ｃ）は被検眼Ｅの球面度数Ｓがプラスの値であった場合である。なお、図９では、便宜上、眼図１１０の右眼図１１０ａのみを示している。
【０１１０】
例えば、被検眼Ｅが近視眼であり、球面度数Ｓがマイナスの値（例えば、−５Ｄ等）であれば、図９（ａ）に示すように、結像位置ｔは眼球図ｅにおける眼底よりも手前側に位置するように描写される。なお、マイナスの値が大きいほど（すなわち、例えば、近視が強いほど）、結像位置ｔは眼底から手前側に離れた位置となる。このため、図８では、右眼図１１０ａにおける視標光束の結像位置ｔが、左眼図１１０ｂにおける視標光束の結像位置ｔよりも、眼球図ｅの眼底から手前側に離れて位置するように描写される。
【０１１１】
例えば、被検眼Ｅが正視眼であり、球面度数Ｓが０の値（つまり、０Ｄ）であれば、図９（ｂ）に示すように、結像位置ｔは眼球図ｅにおける眼底に一致するように描写される。例えば、被検眼Ｅが遠視眼であり、球面度数Ｓがプラスの値（例えば、＋３Ｄ等）であれば、図９（ｃ）に示すように、結像位置ｔは眼球図ｅにおける眼底よりも奥側に位置するように描写される。なお、プラスの値が大きいほど（すなわち、例えば、遠視が強いほど）、結像位置ｔは眼底から奥側に離れた位置となる。
【０１１２】
例えば、検者は、他覚式測定が終了した状態（すなわち、ステップ２が終了した状態）から、自覚式測定を開始するためにモニタ４を操作して測定モードを切り換える。制御部７０は、他覚式測定にて取得した光学特性に応じてディスプレイ３１を光軸Ｌ２方向へ移動させ、被検眼Ｅの球面度数Ｓを矯正する。例えば、本実施例では、制御部７０が、ディスプレイ３１の位置を、自覚式測定を開始する前の位置（初期位置）から−５Ｄに対応する位置に移動させることで、右被検眼ＥＲの球面度数Ｓを矯正する。このとき、ディスプレイ３１とともに、投影光学系１０ａと受光光学系１０ｂが同期して光軸Ｌ１方向に移動するため、球面度数Ｓの矯正度数の変更により、撮像素子２２が撮像する測定画像（リング像）が変化する。なお、左被検眼ＥＬに対して球面度数Ｓを矯正する場合については、右被検眼ＥＲの場合と同様に考えることができるため、本実施例では説明を省略する。
【０１１３】
例えば、ディスプレイ３１が初期位置から−５Ｄに対応する位置へと徐々に近づいていくと、撮像素子２２が撮像するリング像も徐々に変化する。例えば、制御部７０は、自覚式測定を行っている間にもリング像を画像解析することによって、他覚式測定における球面度数Ｓを取得する。例えば、本実施例では、自覚式測定中の他覚式測定において取得される光学特性が、短い時間間隔（例えば、０．１秒間隔等）で１回目、２回目、３回目・・・ｎ回目と遂次取得され、それぞれのリング像が画像解析される。これによって、制御部７０は、ディスプレイ３１の移動にともなう他覚式測定の球面度数Ｓをリアルタイムに取得することができる。
【０１１４】
また、例えば、制御部７０は、他覚式測定手段による複数回の測定によって新たに光学特性が測定されるのに応じて、新たな光学特性に基づいてモニタ４に表示した眼図１１０の結像位置ｔを変更して表示する。例えば、本実施例においては、制御部７０が、他覚式測定において光学特性を取得した回数に応じて結像位置ｔを変更してもよい。言い換えると、制御部７０は、他覚式測定結果を取得するたびに眼図１１０における結像位置ｔを更新してもよい。これによって、制御部７０は、眼図１１０における結像位置ｔの表示位置をリアルタイムに変更することができる。
【０１１５】
図１０は新たに取得された光学特性に基づいて結像位置ｔが変更された眼図１１０である。図１０（ａ）は結像位置ｔの変更が途中の状態であり、図１０（ｂ）は結像位置ｔの変更が完了した状態である。例えば、結像位置が変更された眼図１１０には、眼球図ｅ、光線ｒ、結像位置ｔ、被検眼Ｅに入射する視標光束の光学特性を変化させる矯正光学系の描写、等が表示される。例えば、矯正光学系の描写とは、矯正レンズを模した図（後述する矯正レンズ図１２０）であっても、プリズムを模した図であっても、コンタクトレンズを模した図であってもよい。例えば、本実施例においては、前述のようにディスプレイ３１が徐々に移動することで、眼図１１０に表示された光線ｒ、結像位置ｔ、及び矯正レンズ図１２０が変化し、図１０（ａ）に示す状態から図１０（ｂ）に示す状態となる。また、眼図１１０に表示された矯正レンズ図１２０が変化する。
【０１１６】
例えば、制御部７０は、矯正光学系が変更されるに応じて、矯正光学系の描写を、変更された矯正光学系の描写に変更して表示する。例えば、検者によって矯正度数がマイナスの値に設定されたとき、制御部７０は、矯正レンズ１２０としてマイナスレンズを模した図を眼図１１０に表示する。また、例えば、検者によって矯正度数がプラスの値に設定されたとき、制御部７０は、矯正レンズ１２０としてプラスレンズを模した図を眼図１１０に表示する。つまり、矯正レンズ図１２０は、被検眼Ｅの矯正度数に対応して、プラスレンズあるいはマイナスレンズを模した図が選択される。なお、本実施例では、右被検眼ＥＲの球面度数Ｓを−５Ｄに矯正しているので、眼図１１０にはマイナスレンズを模した矯正レンズ図１２０が表示される。
【０１１７】
例えば、矯正レンズ図１２０は、被検眼Ｅの矯正度数に応じてその厚みを変化させてもよい。例えば、制御部７０は、マイナスレンズを模した矯正レンズ図１２０である場合には、矯正度数が０Ｄからマイナス側に離れた度数であるほど、矯正レンズ図の周辺部（レンズの縁の部分）が厚くなるように、矯正レンズ図１２０の厚みを変化させてもよい。また、例えば、制御部７０は、プラスレンズを模した矯正レンズ図１２０である場合には、矯正度数が０Ｄからプラス側に離れた度数であるほど、矯正レンズ図の中心部が厚くなるように、矯正レンズ図１２０の厚みを変化させてもよい。
【０１１８】
なお、本実施例では、球面度数Ｓの矯正光学系がディスプレイ３１の移動により構成されているため、ディスプレイ３１の位置に対応する球面度数Ｓのレンズを被検眼Ｅの眼前に挿入した状態と同じであるとして考えることができる。例えば、ディスプレイ３１が初期位置（０Ｄに対応する位置）から−５Ｄに対応する方向に移動することで、眼図１１０における眼球図ｅの前には矯正レンズ図１２０が表示される。また、例えば、ディスプレイ３１が−１Ｄ、−２Ｄ、・・・、−５Ｄに対応する位置へと徐々に移動することで、眼図１１０に表示された矯正レンズ図１２０は徐々に厚くなる。なお、このとき、眼図１１０には、矯正レンズ図１２０に対応した矯正度数が数値として示されてもよい。
【０１１９】
また、例えば、制御部７０は、矯正光学系が変更されるに応じて、矯正光学系による視標光束の光線追跡の描写を、変更された矯正光学系における視標光束の光線追跡の描写に変更して表示する。すなわち、本実施例においては、制御部７０が、矯正光学系の配置（ここでは、ディスプレイ３１の位置）が変更されるにともなって、矯正光学系の配置に対応した視標光束の光線追跡を描写した光線ｒを眼図１１０に表示する。これによって、眼図１１０における視標光束の結像位置は、結像位置ｔから結像位置ｔ´へと徐々に移動する。
【０１２０】
例えば、このように、被検眼Ｅにおける視標光束の結像位置ｔが眼図１１０においてリアルタイムに表示されることによって、検者は被検眼Ｅの矯正状態を把握しやすくなる。また、検者は被検眼Ｅをどのように矯正すればよいのかを判断しやすくなる。以下、眼図１１０を用いながら自覚式測定を行う検者の動作について説明する。
【０１２１】
検者は、被検眼のアライメント（ステップ１）及び他覚式測定（ステップ２）を終えると、モニタ４を操作して測定モードを切り換える。制御部７０は、自覚式測定の前に行った他覚式測定における光学特性に基づいて矯正度数を設定し、ディスプレイ３１を矯正度数に対応する位置まで移動させる。例えば、検者は、この状態から自覚式測定（ステップ３）を開始する。
【０１２２】
ここで、測定モードを切り換えた際に設定される初期の矯正度数は、前述したように被検眼Ｅの眼屈折力が０Ｄとなる矯正度数であるが、自覚式測定により取得される光学特性と、自覚式測定中の他覚式測定により取得される光学特性と、は必ずしも一致しない。すなわち、眼図１１０において、視標光束の結像位置ｔと、眼球図ｅの眼底（後述する目標位置１３０）と、は必ずしも一致しない。例えば、初期の矯正度数では被検眼Ｅを矯正しすぎている場合（言い換えると、過矯正になっている場合）や、矯正が不足している場合等には、このような状態となることがある。
【０１２３】
図１１は初期の矯正度数にて矯正した場合の眼図１１０を示している。図１１（ａ）は被検眼Ｅを矯正しすぎている場合の一例である。図１１（ｂ）は被検眼Ｅの矯正が不足している場合の一例である。例えば、検者は、自覚式測定を開始する際に、操作画面３００に表示された眼図１１０を確認する。例えば、眼図１１０が図１１（ａ）に示す状態になっていたとき、検者は、視標光束の結像位置ｔが目標位置１３０よりも奥側に位置するために、初期の矯正度数では被検眼Ｅを矯正しすぎていると判断することができる。また、検者は、眼図１１０を確認することで、視標光束の結像位置ｔを目標位置１３０に一致させるためには、被検眼Ｅの矯正度数を弱くする必要があると判断することができる。
【０１２４】
そこで、検者は、操作画面３００のスイッチ３０１を操作して、初期の矯正度数よりも弱くなるように、新たな矯正度数を設定する。制御部７０は、新たな矯正度数に対応する位置にディスプレイ３１を移動させる。眼図１１０には、前述のように結像位置ｔの変化がリアルタイムに表示されるので、検者は新たな矯正度数を設定した状態で表示された眼図１１０を確認し、視標光束の結像位置ｔが目標位置１３０に一致していなかった場合には、再び矯正度数を設定してもよい。例えば、検者は、眼図１１０を確認しながら、被検眼Ｅの矯正度数を初期の矯正度数から少しずつ弱めることで、結像位置ｔを目標位置１３０に近づけることができる。また、検者は、結像位置ｔと目標位置１３０とが一致したときに、被検眼Ｅの矯正状態が適切になったと判断することができる。
【０１２５】
また、例えば、自覚式測定を開始する際に表示された眼図１１０が図１１（ｂ）に示す状態になっていたとき、検者は、視標光束の結像位置ｔが目標位置１３０よりも手前側に位置するために、被検眼Ｅの矯正が不足していると判断することができる。また、検者は、眼図１１０を確認することで、視標光束の結像位置ｔを目標位置１３０に一致させるためには、被検眼Ｅの矯正度数を強くする必要があると判断することができる。例えば、検者は、眼図１１０を確認しながらスイッチ３０１を操作して、初期の矯正度数を少しずつ強めるように新たな矯正度数を設定する。また、検者は、必要に応じて矯正度数を変更しながら結像位置ｔを目標位置１３０に近づけていき、結像位置ｔと目標位置１３０とが一致したときに、被検眼Ｅの矯正状態が適切になったと判断することができる。
【０１２６】
以上説明したように、例えば、本実施例における自覚式検眼装置は、自覚式測定手段によって被検眼の光学特性を自覚的に測定している間に、他覚式測定手段によって被検眼の光学特性を他覚的に測定し、被検眼及び被検眼に入射する視標光束の結像位置が少なくとも描写される眼図の結像位置を、他覚式測定手段によって他覚的に測定された光学特性に基づいて表示する。これによって、検者は、眼図の結像位置を確認することで、自覚式測定において変更した矯正度数が被検眼に対して適切であるかを容易に判断することができる。
【０１２７】
また、例えば、本実施例における自覚式検眼装置は、自覚式測定手段によって被検眼の光学特性を自覚的に測定している間に、他覚式測定手段によって被検眼の光学特性を他覚的に複数回測定し、新たに光学特性が測定されるのに応じて、新たな光学特性に基づいて眼図の結像位置を変更して表示する。これによって、眼図がリアルタイムに変更されるため、検者は、眼図を確認しながら被検眼に対する矯正度数を変更することで、被検眼に適した矯正度数となったかを容易に判断することができる。
【０１２８】
また、例えば、本実施例における自覚式検眼装置は、眼図に矯正光学系の描写を含み、矯正光学系が変更されるに応じて、変更された矯正光学系の描写に変更して表示する。これによって、検者は、眼図を確認することで、矯正光学系の矯正状態の変化を把握することができる。
【０１２９】
また、例えば、本実施例における自覚式検眼装置は、眼図に矯正光学系による視標光束の光線追跡の描写を含み、矯正光学系が変更されるに応じて、矯正光学系による視標光束の光線追跡の描写を、変更された光線追跡の描写に変更して表示する。これによって、検者は、眼図を確認することで、被検眼Ｅに対する視標光束の入射がどのように変化したかを理解することができる。
【０１３０】
また、例えば、本実施例における自覚式検眼装置は、眼図における結像位置についての理解を補助するためのガイド情報を表示する。このため、検者は、ガイド情報を参考にして、被検眼の光学特性を理解することができる、また、検者は、ガイド情報を参考にして被検眼の矯正度数を変更し、結像位置を変化させることができる。
【０１３１】
＜変容例＞
なお、本実施例においては、眼図１１０を操作画面３００に表示する構成を例に挙げて説明したがこれに限定されない。例えば、眼図１１０は、プリンタ等を用いて印刷されてもよい。また、眼図１１０は、ディスプレイやタブレット端末等への表示、プリンタ等を用いた印刷、外部メモリ（例えば、ＵＳＢメモリ等）への保存、等により出力可能な構成であってもよい。
【０１３２】
なお、本実施例においては、自覚式測定中に他覚式測定を開始するためのトリガが測定モードを切り換えた時である構成を例に挙げて説明したがこれに限定されない。例えば、自覚式測定中に他覚式測定を開始するためのトリガは、自覚式測定のプログラムが開始された時、投光光学系３０や矯正光学系６０の駆動を開始した時、検査視標の切り換え時、複数の検査項目における自覚式測定と自覚式測定との間、等の少なくともいずれかであってもよい。もちろん、自覚式測定中に他覚式測定を開始するためのトリガは、前述のタイミング以外でもよい。なお、自覚式測定中に他覚式測定を開始するタイミングとしては、検者が任意のタイミングで行う構成でもよいし、前述のトリガに基づいて自動で行われる構成でもよい。
【０１３３】
なお、本実施例においては、他覚式測定手段によって新たに光学特性が取得されるのに応じて、眼図１１０の結像位置ｔを変更して表示しているがこれに限定されない。例えば、眼図１１０における結像位置ｔは、他覚式測定において光学特性を取得した回数に対して、一定の回数毎に変更される構成であってもよい。この場合には、例えば、複数回取得された光学特性に対して、偶数回あるいは奇数回のみ結像位置ｔを変更してもよい。また、この場合、例えば、複数回取得された光学特性に対して、一定の回数毎（例えば、５回毎等）に結像位置ｔを変更してもよい。
【０１３４】
また、例えば、本実施例における自覚式検眼装置１は、結像位置ｔを変更するか否かを判定する構成を備え、その判定結果に基づいて結像位置ｔを変更して表示してもよい。例えば、制御部７０は、自覚式測定中の他覚式測定において光学特性が１回目、２回目、３回目・・・ｎ回目と遂次取得された場合に、ｎ回目に取得された光学特性と、ｎ−１回目に取得された光学特性と、をそれぞれ比較し、これらが異なっていたときに、結像位置ｔを変更すると判定してもよい。また、例えば、本実施例における自覚式検眼装置１は、ｎ回目に取得された光学特性と、ｎ−１回目に取得された光学特性と、が異なっていても、その度数が所定の閾値以内（例えば、０．２５Ｄ以内等）であった場合には、結像位置ｔを変更しないと判定してもよい。例えば、所定の閾値は、検者が任意の値を入力することで設定される構成でもよいし、予め実験やシミュレーション等により設定された構成でもよい。
【０１３５】
なお、本実施例においては、自覚式測定中の他覚式測定を遠用状態にて行う場合を例に挙げて説明したがこれに限定されない。例えば、遠用状態と同様に、近用状態においても、自覚式測定手段によって被検眼Ｅの光学特性を自覚的に測定している間に、他覚式測定手段によって被検眼Ｅの光学特性を他覚的に測定することができる。図１２は近用状態において自覚式測定中に他覚式測定を行った場合の眼図１１０である。例えば、近用状態にて他覚式測定が行われた場合、眼図１１０には、検査視標の呈示が近用距離であることを示すマーク１４０を描写してもよい。なお、近用状態にて他覚式測定が行われた場合は、被検眼Ｅに入射する視標光束が拡散光束となるため、眼球図ｅに向かう光線ｒは拡散光束として描写される。もちろん、近用状態にて被検眼Ｅを矯正した場合には、眼図１１０に矯正レンズ図１２０を描写してもよい。
【０１３６】
なお、本実施例においては、被検眼Ｅの球面度数Ｓを眼図１１０に表す場合を例に挙げて説明したがこれに限定されない。例えば、被検眼Ｅの柱面度数Ｃ及び乱視軸角度Ａを眼図１１０に表すこともできる。図１３は柱面度数Ｃ及び乱視軸角度Ａを表した眼図１１０である。眼図１１０には、眼球図ｅ、視標光束の結像位置、視標光束の光線追跡を描写した光線、等が表示される。例えば、被検眼Ｅが柱面度数Ｃをもつ場合には、視標光束の入射方向によって結像位置が異なるため、２箇所に結像位置が形成される。例えば、図１３では、視標光束の入射方向が水平方向（言い換えると、乱視軸角度Ａが０度または１８０度）と垂直方向（言い換えると、乱視軸角度Ａが９０度または２７０度）である場合を一例として示している。このため、眼図１１０には、結像位置として、垂直方向の結像位置ｔ１（言い換えると、前焦線ｔ１）と、水平方向の結像位置ｔ２（言い換えると、後焦線ｔ２）と、を表示してもよい。また、被検眼Ｅが柱面度数Ｃをもつ場合には、視標光束の光線追跡を描写した光線の入射方向を示すマーク１５０が表示され、入射方向毎の光線（すなわち、垂直方向の光線ｒ１と水平方向の光線ｒ２）が描写される。さらに、例えば、眼図１１０には、前焦線ｔ１と後焦線ｔ２とによりつくられる最小錯乱円Ｋを表示してもよい。なお、視標光束の入射方向が水平方向及び垂直方向でない場合（例えば、被検眼Ｅの乱視軸角度Ａが４５度であった場合等）には、光線の入射方向を示すマーク１５０を乱視軸角度Ａに基づいて回転させ、これにともなって光線や結像位置の描写を変更してもよい。
【０１３７】
例えば、自覚式測定において柱面度数Ｃを矯正する場合、制御部７０は、乱視矯正光学系６３を構成する円柱レンズ６１ａ及び６１ｂを回転させることで、柱面度数Ｃを矯正する。例えば、本実施例においては、他覚式測定光学系１０が、矯正光学系において柱面度数Ｃを矯正する部分（すなわち、乱視矯正光学系６３）を介さないので、自覚式測定において柱面度数Ｃを矯正しても、撮像素子２２が撮像する測定画像（リング像）は変化しない。このため、制御部７０は、自覚式測定にて矯正した柱面度数Ｃを考慮した演算処理を行い、他覚式測定における柱面度数Ｃを計算によって取得する。例えば、柱面度数Ｃを表した眼図１１０においては、このようにして取得された柱面度数Ｃに基づいて、結像位置ｔ１及びｔ２が表示されてもよい。なお、球面度数Ｓを矯正する場合には、他覚式測定光学系１０が、矯正光学系において球面度数Ｓを矯正する部分（すなわち、ディスプレイ３１）と一体的に移動する。つまり、他覚式測定光学系１０が球面度数Ｓを矯正する部分を介する構成とみなすことができる。このため、他覚式測定において測定された球面度数Ｓに対して演算処理を行うことなく、眼図１１０の結像位置ｔを表示することができる。
【０１３８】
なお、本実施例における自覚式検眼装置１は、眼図１１０における視標光束の結像位置ｔについての理解を補助するためのガイド情報を表示するようにしてもよい。例えば、ガイド情報は、シミュレーション画像３２３（図７参照）、度数ガイド１６０、被検眼Ｅの調節可能範囲、等の少なくともいずれかである。例えば、これらのガイド情報は、自覚式測定の検査項目等に対応して、眼図１１０とともに少なくともいずれかを表示する構成としてもよい。もちろん、複数を組み合わせて表示する構成であってもよい。
【０１３９】
ガイド情報としてシミュレーション画像３２３が用いられる場合について説明する。例えば、シミュレーション画像３２３は、被検者が視力値視標や検査視標みたときの見え方を示す画像である。例えば、シミュレーション画像３２３は、左右被検眼のそれぞれにおける見え方を示したシミュレーション画像であってもよいし、両眼での見え方を示したシミュレーション画像であってもよい。例えば、シミュレーション画像３２３は、自覚式測定中に取得された他覚式測定の光学特性に基づいて生成される。この場合、シミュレーション画像３２３はリアルタイムに生成され、これが操作画面３００に表示されてもよい。
【０１４０】
例えば、自覚式測定にて視力検査を行い、被検眼Ｅの矯正度数を変更した場合、被検眼Ｅを矯正しすぎているときや被検眼Ｅの矯正が不足しているとき等には、シミュレーション画像３２３に表示された視力値視標のぼやけ具合等が、他覚式測定の光学特性に基づいて変更される。被検眼Ｅが乱視眼であれば、シミュレーション画像３２３として乱視表を表示し、乱視表のぼやけ具合等を他覚式測定の光学特性に基づいて変更してもよい。また、例えば、自覚式測定にて二色テスト（言い換えると、赤緑テスト）を行った場合、シミュレーション画像３２３としては、二色テスト視標が表示されてもよい。例えば、このときには、シミュレーション画像３２３に表示された二色テスト視標の鮮明度等が、他覚式測定の光学特性に基づいて変更されてもよい。
【０１４１】
例えば、検者はこのようなシミュレーション画像３２３を確認することで、眼図１１０における視標光束の結像位置ｔがそれぞれの位置に変更された場合に、被検眼Ｅの見え方を想像しながら自覚式検査を進めることができる。なお、上記においては、シミュレーション画像３２３が他覚式測定の光学特性に基づいて生成される場合を例に挙げて説明したがこれに限定されない。例えば、シミュレーション画像３２３は、光学特性に対応した見え方を示す画像を予めメモリ７５に記憶しておき、これを呼び出すことで表示されてもよい。また、例えば、シミュレーション画像３２３は、高次収差情報に基づいて生成されてもよい。
【０１４２】
ガイド情報として度数ガイドが用いられる場合について説明する。例えば、度数ガイドは、被検眼Ｅの矯正度数を設定する際の目安を表したスケールであってもよい。図１４は度数ガイド１６０の一例である。例えは、度数ガイドは、眼図１１０における眼球図ｅの眼底を基準として、その手前側と奥側に所定の度数間隔で縦線１６１が並べられていてもよい。例えば、縦線１６１は、他覚式測定における被検眼Ｅの眼屈折力を示しており、各縦線に対応する眼屈折力が数値１６２として表される。例えば、検者は、眼図１１０とともに度数ガイド１６０が表示されることで、被検眼Ｅを矯正する矯正度数を把握しやすくなる。例えば、図１４のように、眼図１１０における視標光束の結像位置ｔが、度数ガイド１６０において＋０．５Ｄを示す縦線１６１の位置にあった場合、検者は現在の矯正度数から−０．５Ｄだけ差し引いた矯正度数を新たに設定すれば、被検眼Ｅの矯正度数を０Ｄにすることができると判断することができる。なお、図１４に示す度数ガイド１６０は一例であり、その表示位置や度数間隔等は本実施例に限定されない。
【０１４３】
ガイド情報として被検眼Ｅの調節可能範囲が用いられる場合について説明する。例えば、被検眼Ｅの調節可能範囲は、アコモドメータ等を用いて予め測定し、制御部７０がこの測定結果を取得するようにしてもよい。また、被検眼Ｅの調節可能範囲は、自覚式検眼装置１を用いて取得した後述するずれ情報等を用いるようにしてもよい。例えば、被検眼Ｅの調節可能範囲は、被検眼Ｅがもつ調節機能で対応可能な範囲が図として示されてもよい。図１５は調節可能範囲を示す図の一例である。例えば、被検眼Ｅの調節可能範囲を表す図１８０としては、図１５のようにバー表示される構成であってもよく、この場合にはバーの長さと被検眼Ｅの調節力とが対応して表示される。なお、被検眼Ｅの調節可能範囲を表す図１８０はバー表示に限定されず、被検眼Ｅの調節可能範囲を可視化できる表示であればよい。例えば、検者は、眼図１１０とともに被検眼Ｅの調節可能範囲を表す図１８０が表示されることで、被検眼Ｅを０Ｄに矯正したときに（視標光束の結像位置ｔを眼球図ｅの眼底に位置させたときに）、被検眼Ｅがどれくらいの調節力を使っているかを判断することができる。例えば、被検眼Ｅが３Ｄ相当の調節力をもっており、図１５に示すように眼図１１０の結像位置ｔがバー表示の３分の１程度の位置にあった場合には、被検眼Ｅの調節力に１Ｄ相当の余裕があると判断することができる。なお、上記では、被検眼Ｅの調節可能範囲を図として表しているが、被検眼Ｅの調節可能範囲を数値として表す構成であってもよい。
【０１４４】
なお、本実施例においては、自覚式測定中に他覚式測定を測定し、測定した光学特性に基づいて、眼図１１０の結像位置ｔが表示される構成を例に挙げたがこれに限定されない。例えば、眼図１１０において、被検眼Ｅの光学特性を自覚的に測定している間に、他覚式測定を測定した光学特性（例えば、第２光学特性）とともに、他のタイミングで取得された光学特性（例えば、第１光学特性）が比較可能に表示されるようにしてもよい。この場合、例えば、制御手段（例えば、制御部７０）は、被検眼の光学特性として、他覚式測定手段によって被検眼の光学特性を他覚的に測定して第１光学特性を取得するとともに、自覚式測定手段によって被検眼の光学特性を自覚的に測定している間に、他覚式測定手段によって被検眼の光学特性を他覚的に測定して第２光学特性を取得してもよい。例えば、表示制御手段（例えば、制御部７０）は、結像位置として、第１光学特性に基づく第１結像位置と、第２光学特性に基づく第２結像位置と、を比較可能に表示するようにしてもよい。例えば、第１光学特性は、自覚式測定の開始前に行った他覚式測定において取得された光学特性が用いられてもよい。このとき、例えば、雲霧がかけられた後、雲霧がかけられた被検眼に対して、第１光学特性を取得するための眼屈折力の本測定が行われてもよい。このように、雲霧をかけることによって、被検眼の調節機能を抑制することができ、調整機能の抑制された状態での第１光学特性を取得することができる。もちろん、第１光学特性は、自覚式測定中に行われる他覚式測定において取得される光学特性としてもよい。
【０１４５】
例えば、第１光学特性に基づく第１結像位置と、第２光学特性に基づく第２結像位置と、を比較可能に表示する構成としては、眼図１１０に第１結像位置と第２結像位置とを表示するようにしてもよい。なお、例えば、眼図１１０に第１結像位置と第２結像位置とを表示する場合、眼図１１０に第１結像位置と第２結像位置とを重畳して表示してもよい。また、例えば、眼図に第１結像位置と第２結像位置とを表示する場合、第１結像位置が含まれる眼図１１０と第２結像位置が含まれる眼図１１０とが並べて表示されるようにしてもよい。
【０１４６】
また、例えば、第１光学特性に基づく第１結像位置と、第２光学特性に基づく第２結像位置と、を比較可能に表示する構成としては、第１結像位置と第２結像位置とのずれ情報を取得して表示するようにしてもよい。なお、例えば、ずれ情報は、第１光学特性と第２光学特性に基づいて取得される構成であればよい。例えば、ずれ情報としては、調節情報であってもよい。また、例えば、ずれ情報としては、第１結像位置と第２結像位置との間にずれがあることを示す情報であってもよい。
【０１４７】
例えば、調節情報は、第１光学特性と、第２光学特性と、を差分処理することによって取得された情報であってもよい。例えば、差分処理することで取得される調節情報は、第１光学特性と第２光学特性とのパラメータの差分結果であってもよい。例えば、差分結果は、数値、グラフ等で表示するようにしてもよい。例えば、リアルタイムに他覚式測定または複数回の他覚式測定を行う場合に、それらの差分結果が連続的に表示されるようにしてもよい。このような構成とすれば、光学特性の変動状態を確認することができる。
【０１４８】
より詳細に説明する。例えば、図１６は、眼図１１０において、第１光学特性に基づく第１結像位置１９０と、第２光学特性に基づく第２結像位置２００と、が表示された一例を示す図である。なお、図１６において、第１結像位置１９０は、雲霧がかけられた後に測定された第１光学特性に基づく結像位置である。例えば、第１結像位置１９０は、自覚測定が開始される前に他覚式測定において取得された第１光学特性に基づいて表示されている。また、例えば、第２結像位置２００は、自覚測定が開始される前に他覚式測定において取得された第１光学特性に基づいて表示されている。例えば、第２結像位置２００は、自覚式測定中において取得される第２光学特性に基づいて、その結像位置が変更される。すなわち、第１結像位置１９０に対して、第２結像位置２００が、逐次測定される第２光学特性に基づいて変更される。例えば、検者は、眼図１１０において、第１光学特性に基づく第１結像位置１９０と、第２光学特性に基づく第２結像位置２００と、が表示されることで、第１結像位置１９０と第２結像位置２００とを確認しながら、自覚式測定を行うことができる。一例として、検者は、第１結像位置１９０と第２結像位置２００とを確認することで、自覚式測定中において、調節（被検眼がもつ調節機能）が働いているかどうかを確認することもできる。なお、例えば、眼図１１０には、第１結像位置１９０と第２結像位置２００とが表示されるとともに、ずれ情報が表示されるようにしてもよい。また、眼図１１０は、被検眼Ｅの調節状態によって、眼球図ｅにおける水晶体の厚みを変化させるように描写してもよい。
【０１４９】
例えば、本実施例における自覚式検眼装置がこのような構成であることによって、検者は、被検眼の光学特性が第１光学特性から第２光学特性に変化したことを容易に理解することができる。また、検者は、第１光学特性と第２光学特性にどれくらいの違いがあるかを確認することができる。
【０１５０】
なお、本実施例においては、自覚式測定として被検眼Ｅの視力検査を行った場合の眼図１１０について説明したがこれに限定されない。例えば、自覚式測定として２色テストを行った場合には、眼図１１０として、眼球図ｅ、赤色光束と緑色光束を表す光線、赤色光束と緑色光束のそれぞれが結像する結像位置、等を表示してもよい。例えば、２色テストを行った場合には、自覚式測定中に取得した他覚式測定の光学特性と、各色の光束の波長と、を用いて、赤色光束と緑色光束のそれぞれが結像する結像位置を演算により求めることができる。例えば、制御部７０は、他覚式測定の光学特性をリアルタイムに取得することで、赤色光束と緑色光束の結像位置を変更してもよい。
【０１５１】
なお、本実施例においては、眼図１１０に表示される視標光束の結像位置ｔを、被検眼Ｅの実際の眼屈折力に対応する位置に表示する構成であってもよいし、実際の眼屈折力に対応する位置から強調させて表示する構成であってもよい。例えば、強調させる場合には、＋０．５Ｄ等の小さな眼屈折力の変化をより理解しやすくなる。
【０１５２】
なお、本実施例における自覚式検眼装置１は、眼図１１０を操作することで被検眼Ｅの矯正状態を変更することが可能な構成としてもよい。例えば、この場合には、検者が眼図１１０に表示された結像位置ｔを合わせたい位置をタッチすると、選択された位置に結像位置ｔを合わせるための矯正度数が計算され、これに基づいて矯正光学系が制御されるようにしてもよい。
【０１５３】
また、本実施例における自覚式検眼装置１は、被検眼Ｅの矯正状態を示す眼図１１０を複数並べて表示することが可能な構成であってもよい。もちろん、眼図１１０とともに、眼図１１０に対応したシミュレーション画像３２３等が並べて表示されてもよい。
【符号の説明】
【０１５４】
１  自覚式検眼装置
２  筺体
４  モニタ
５  顎台
７  測定手段
１０  他覚式測定光学系
２５  自覚式測定光学系
３０  投光光学系
４５  第１指標投影光学系
４６  第２指標投影光学系
５０  観察光学系
６０  矯正光学系
７０  制御部
７５  メモリ
８１  偏向ミラー
８４  ハーフミラー
８５  凹面ミラー
９０  補正光学系
１００  前眼部撮像光学系
１１０  眼図
【図１】
2019063265.tif 000003
【図２】
2019063265.tif 000004
【図３】
2019063265.tif 000005
【図４】
2019063265.tif 000006
【図５】
2019063265.tif 000007
【図６】
2019063265.tif 000008
【図７】
2019063265.tif 000009
【図８】
2019063265.tif 000010
【図９】
2019063265.tif 000011
【図１０】
2019063265.tif 000012
【図１１】
2019063265.tif 000013
【図１２】
2019063265.tif 000014
【図１３】
2019063265.tif 000015
【図１４】
2019063265.tif 000016
【図１５】
2019063265.tif 000017
【図１６】
2019063265.tif 000018